(57)【要約】  本発明は、フィードバック情報の伝送方法と装置を提供し、当該方法は、端末デバイスは、ネットワークデバイスより送信されたダウンリンクデータ内の第１ダウンリンクデータを受信することと、当該端末デバイスは、第１時間ドメインリソースユニットの第１時間ドメインリソース集合における位置に基づいて、第２時間ドメインリソースユニットを確定することと、当該端末デバイスは、当該第２時間ドメインリソースユニットにおいて、当該第１ダウンリンクデータに対するフィードバック情報を送信することと、を含み、ここで、当該ダウンリンクデータが、当該ネットワークデバイスが少なくとも一つの時間ドメインリソース集合を使用して送信されたものであり、当該少なくとも一つの時間ドメインリソース集合内のそれぞれの時間ドメインリソース集合が、一つ又は複数の連続した時間ドメインリソースユニットを含み、当該第１ダウンリンクデータが、当該少なくとも一つの時間ドメインリソース集合内の当該第１時間ドメインリソース集合内の当該第１時間ドメインリソースユニットにおいて伝送され、フィードバック情報の伝送の柔軟性と信頼性を向上させることができる。
2019517162.tif 000002
【特許請求の範囲】
【請求項１】
フィードバック情報の伝送方法であって、
端末デバイスは、ネットワークデバイスより送信されたダウンリンクデータ内の第１ダウンリンクデータを受信することと、
前記端末デバイスは、第１時間ドメインリソースユニットの第１時間ドメインリソース集合における位置に基づいて、第２時間ドメインリソースユニットを確定することと、
前記端末デバイスは、前記第２時間ドメインリソースユニットにおいて、前記第１ダウンリンクデータに対するフィードバック情報を送信することと、
を含み、ここで、前記ダウンリンクデータが、前記ネットワークデバイスが少なくとも一つの時間ドメインリソース集合を使用して送信されたものであり、前記少なくとも一つの時間ドメインリソース集合内のそれぞれの時間ドメインリソース集合が、一つ又は複数の連続した時間ドメインリソースユニットを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送方法。
【請求項２】
時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる、
ことを特徴とする請求項１に記載のフィードバック情報の伝送方法。
【請求項３】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、第１時間ドメインリソースユニットの第１時間ドメインリソース集合における位置に基づいて、第２時間ドメインリソースユニットを確定することは、
前記第１時間ドメインリソースユニットが、前記第１時間ドメインリソース集合内の時間ドメインにおける前のＱ−Ｔ個の時間ドメインリソースユニットに属する場合、前記端末デバイスは、前記第２時間ドメインリソースユニットが前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０である、
ことを特徴とする請求項１又は２に記載のフィードバック情報の伝送方法。
【請求項４】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、第１時間ドメインリソースユニットの第１時間ドメインリソース集合における位置に基づいて、第２時間ドメインリソースユニットを確定することは、
第１時間ドメインリソースユニットが前記第１時間ドメインリソース集合内の時間ドメインにおける後ろのＴ個の時間ドメインリソースユニットに属する場合、前記端末デバイスは、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項１又は２に記載のフィードバック情報の伝送方法。
【請求項５】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、前記第２時間ドメインリソースユニットにおいて、前記第１ダウンリンクデータに対するフィードバック情報を送信することは、
前記端末デバイスは、前記第２時間ドメインリソースユニットにおいて、前記ネットワークデバイスにＣ×Ｌビットのフィードバック情報を送信すること、
を含み、前記第１ダウンリンクデータのフィードバック情報が前記Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項１乃至４のいずれか１項に記載のフィードバック情報の伝送方法。
【請求項６】
前記端末デバイスが、前記第２時間ドメインリソースユニットにおいて、前記第１ダウンリンクデータに対するフィードバック情報を送信することは、
前記端末デバイスは、前記第１時間ドメインリソースユニットの第１時間ドメインリソース集合における位置に基づいて、前記第２時間ドメインリソースユニットから、フィードバック情報を伝送するための第１ビットを確定することと、
前記端末デバイスは、前記第１ダウンリンクデータに対するフィードバック情報を前記第１ビットにベアリングすることと、
を含む、
ことを特徴とする請求項１乃至５のいずれか１項に記載のフィードバック情報の伝送方法。
【請求項７】
前記端末デバイスは、少なくとも一つの集合指示情報を受信することをさらに含み、
少なくとも一つの時間ドメインリソース集合と、前記少なくとも一つの集合指示情報とは、一対一に対応し、各集合指示情報が、対応する時間ドメインリソース集合のインデックス情報を指示するために用いられる、
ことを特徴とする請求項１乃至６のいずれか１項に記載のフィードバック情報の伝送方法。
【請求項８】
フィードバック情報の伝送方法であって、
ネットワークデバイスは、少なくとも一つの時間ドメインリソース集合を使用して、ダウンリンクデータを送信することと、
前記ネットワークデバイスは、第１時間ドメインリソースユニットの第１時間ドメインリソース集合における位置に基づいて、第２時間ドメインリソースユニットを確定することと、
前記ネットワークデバイスは、前記第２時間ドメインリソースユニットにおいて、前記第１ダウンリンクデータに対するフィードバック情報を受信することと、
を含み、
前記少なくとも一つの時間ドメインリソース集合内のそれぞれの時間ドメインリソース集合が、一つ又は複数の連続した時間ドメインリソースユニットを含み、前記ダウンリンクデータは、端末デバイスに送信される第１ダウンリンクデータを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送方法。
【請求項９】
時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる、
ことを特徴とする請求項８に記載のフィードバック情報の伝送方法。
【請求項１０】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記ネットワークデバイスが、第１時間ドメインリソースユニットの第１時間ドメインリソース集合における位置に基づいて、第２時間ドメインリソースユニットを確定することは、
前記第１時間ドメインリソースユニットが、前記第１時間ドメインリソース集合内の時間ドメインにおける前のＱ−Ｔ個の時間ドメインリソースユニットに属する場合、前記ネットワークデバイスは、前記第２時間ドメインリソースユニットが前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０である、
ことを特徴とする請求項８又は９に記載のフィードバック情報の伝送方法。
【請求項１１】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記ネットワークデバイスは、第１時間ドメインリソースユニットの第１時間ドメインリソース集合における位置に基づいて、第２時間ドメインリソースユニットを確定することは、
第１時間ドメインリソースユニットが前記第１時間ドメインリソース集合内の時間ドメインにおける後ろのＴ個の時間ドメインリソースユニットに属する場合、前記ネットワークデバイスは、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項８又は９に記載のフィードバック情報の伝送方法。
【請求項１２】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記ネットワークデバイスが、前記第２時間ドメインリソースユニットにおいて、前記第１ダウンリンクデータに対するフィードバック情報を受信することは、
前記ネットワークデバイスは、前記第２時間ドメインリソースユニットにおいて、前記端末デバイスより送信されたＣ×Ｌビットのフィードバック情報を受信すること、
を含み、前記第１ダウンリンクデータのフィードバック情報が前記Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項８乃至１１のいずれか１項に記載のフィードバック情報の伝送方法。
【請求項１３】
前記ネットワークデバイスは、前記第２時間ドメインリソースユニットにおいて、前記第１ダウンリンクデータに対するフィードバック情報を受信することは、
前記ネットワークデバイスは、前記第１時間ドメインリソースユニットの第１時間ドメインリソース集合における位置に基づいて、前記第２時間ドメインリソースユニットから、フィードバック情報を伝送するための第１ビットを確定することと、
前記ネットワークデバイスは、前記第１ビットにベアリングされる情報を前記第１ダウンリンクデータに対するフィードバック情報とすることと、
を含む、
ことを特徴とする請求項８乃至１２のいずれか１項に記載のフィードバック情報の伝送方法。
【請求項１４】
前記ネットワークデバイスは、少なくとも一つの集合指示情報を送信することをさらに含み、
少なくとも一つの時間ドメインリソース集合と、前記少なくとも一つの集合指示情報とは、一対一に対応し、各集合指示情報が、対応する時間ドメインリソース集合のインデックス情報を指示するために用いられる、
ことを特徴とする請求項８乃至１３のいずれか１項に記載のフィードバック情報の伝送方法。
【請求項１５】
フィードバック情報の伝送装置であって、
ネットワークデバイスより送信されたダウンリンクデータ内の第１ダウンリンクデータを受信するように構成される受信ユニットと、
第１時間ドメインリソースユニットの第１時間ドメインリソース集合における位置に基づいて、第２時間ドメインリソースユニットを確定するように構成される確定ユニットと、
前記第２時間ドメインリソースユニットにおいて、前記第１ダウンリンクデータに対するフィードバック情報を送信するように構成される送信ユニットと、
を含み、
ここで、前記ダウンリンクデータが、前記ネットワークデバイスが少なくとも一つの時間ドメインリソース集合を使用して送信されたものであり、前記少なくとも一つの時間ドメインリソース集合内のそれぞれの時間ドメインリソース集合が、一つ又は複数の連続した時間ドメインリソースユニットを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送装置。
【請求項１６】
時間ドメインリソース集合毎に含まれる複数の連続した時間ドメインリソースユニットにおいて、各時間ドメインリソースユニットの時間長が同じであり、又は、
時間ドメインリソース集合毎に含まれる複数の連続した時間ドメインリソースユニットにおいて、少なくとも二つの時間ドメインリソースユニットの時間長が異なる、
ことを特徴とする請求項１５に記載のフィードバック情報の伝送装置。
【請求項１７】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記確定ユニットは、具体的に、前記第１時間ドメインリソースユニットが、前記第１時間ドメインリソース集合内の時間ドメインにおける前のＱ−Ｔ個の時間ドメインリソースユニットに属する場合、前記第２時間ドメインリソースユニットが、前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定するように構成され、ここで、Ｋが予め設定された値であり、Ｋ≧０である、
ことを特徴とする請求項１５又は１６に記載のフィードバック情報の伝送装置。
【請求項１８】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記確定ユニットは、具体的に、第１時間ドメインリソースユニットが前記第１時間ドメインリソース集合内の時間ドメインにおける後ろのＴ個の時間ドメインリソースユニットに属する場合、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定するように構成され、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項１５又は１６に記載のフィードバック情報の伝送装置。
【請求項１９】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記送信ユニットは、具体的に、前記第２時間ドメインリソースユニットにおいて、前記ネットワークデバイスにＣ×Ｌビットのフィードバック情報を送信するように構成され、前記第１ダウンリンクデータのフィードバック情報が前記Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項１５乃至１８のいずれか１項に記載のフィードバック情報の伝送装置。
【請求項２０】
前記確定ユニットは、前記第１時間ドメインリソースユニットの第１時間ドメインリソース集合における位置に基づいて、前記第２時間ドメインリソースユニットから、フィードバック情報を伝送するための第１ビットを確定するようにさらに構成され、
前記送信ユニットは、具体的に、前記第１ダウンリンクデータに対するフィードバック情報を前記第１ビットにベアリンクするように構成される、
ことを特徴とする請求項１５乃至１９のいずれか１項に記載のフィードバック情報の伝送装置。
【請求項２１】
前記受信ユニットは、少なくとも一つの集合指示情報を受信するようにさらに構成され、少なくとも一つの時間ドメインリソース集合と、前記少なくとも一つの集合指示情報とは、一対一に対応し、各集合指示情報が、対応する時間ドメインリソース集合のインデックス情報を指示するために用いられる、
ことを特徴とする請求項１５乃至２１のいずれか１項に記載のフィードバック情報の伝送装置。
【請求項２２】
フィードバック情報の伝送装置であって、
少なくとも一つの時間ドメインリソース集合を使用してダウンリンクデータを送信するように構成される送信ユニットと、
第１時間ドメインリソースユニットの第１時間ドメインリソース集合における位置に基づいて、第２時間ドメインリソースユニットを確定するように構成される確定ユニットと、
前記第２時間ドメインリソースユニットにおいて、前記第１ダウンリンクデータに対するフィードバック情報を受信するように構成される受信ユニットと、
を含み、
前記少なくとも一つの時間ドメインリソース集合内のそれぞれの時間ドメインリソース集合が、一つ又は複数の連続した時間ドメインリソースユニットを含み、前記ダウンリンクデータは、端末デバイスに送信される第１ダウンリンクデータを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送装置。
【請求項２３】
時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる、
ことを特徴とする請求項２２に記載のフィードバック情報の伝送装置。
【請求項２４】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記確定ユニットは、具体的に、前記第１時間ドメインリソースユニットが、前記第１時間ドメインリソース集合内の時間ドメインにおける前のＱ−Ｔ個の時間ドメインリソースユニットに属する場合、前記第２時間ドメインリソースユニットが、前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定するように構成され、ここで、Ｋが予め設定された値であり、Ｋ≧０である、
ことを特徴とする請求項２２又は２３に記載のフィードバック情報の伝送装置。
【請求項２５】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記確定ユニットは、具体的に、第１時間ドメインリソースユニットが前記第１時間ドメインリソース集合内の時間ドメインにおける後ろのＴ個の時間ドメインリソースユニットに属する場合、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定するように構成され、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項２２又は２３に記載のフィードバック情報の伝送装置。
【請求項２６】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記受信ユニットは、具体的に、前記第２時間ドメインリソースユニットにおいて、前記端末デバイスより送信されたＣ×Ｌビットのフィードバック情報を受信するように構成され、前記第１ダウンリンクデータのフィードバック情報が前記Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項２２乃至２５のいずれか１項に記載のフィードバック情報の伝送装置。
【請求項２７】
前記確定ユニットは、前記第１時間ドメインリソースユニットの第１時間ドメインリソース集合における位置に基づいて、前記第２時間ドメインリソースユニットから、フィードバック情報を伝送するための第１ビットを確定し、前記受信ユニットで受信された前記第１ビットにおいて伝送される情報を前記第１ダウンリンクデータに対するフィードバック情報とするようにさらに構成される、
ことを特徴とする請求項２２乃至２６のいずれか１項に記載のフィードバック情報の伝送装置。
【請求項２８】
前記送信ユニットは、少なくとも一つの集合指示情報を送信するようにさらに構成され、少なくとも一つの時間ドメインリソース集合と、前記少なくとも一つの集合指示情報とは、一対一に対応し、各集合指示情報が、対応する時間ドメインリソース集合のインデックス情報を指示するために用いられる、
ことを特徴とする請求項２２乃至２７のいずれか１項に記載のフィードバック情報の伝送装置。
【発明の詳細な説明】
【技術分野】
【０００１】
本発明は、通信分野に関し、特に、フィードバック情報の伝送方法及び装置に関する。
【背景技術】
【０００２】
現在、ネットワークデバイス（例えば、基地局）が端末デバイスにダウンリンクデータを送信した後に、端末デバイスは、当該ダウンリンクデータの受信状況によって、ネットワークデバイスにフィードバック情報を送信することが可能であり、例えば、当該ダウンリンクデータが、それの復号化の結果が問題なく正確に受信された場合、端末デバイスは、基地局に確定（ＡＣＫ：Ａｃｋｎｏｗｌｅｄｇｅｍｅｎｔ）情報（即ち、フィードバック情報の一例）をフィードバックすることが可能であり、当該ダウンリンクデータが間違って受信され、例えば、復号化の結果が間違っている場合、端末デバイスは、基地局に否定応答（ＮＡＣＫ：Ｎｅｇａｔｉｖｅ  Ａｃｋｎｏｗｌｅｄｇｅｍｅｎｔ）情報（即ち、フィードバック情報の別の一例）をフィードバックするという従来の通信技術が知られている。
【０００３】
しかし、当該通信技術において、当該ダウンリンクデータの伝送とフィードバック情報の伝送との間の時間間隔が固定値であり、即ち、端末デバイスは、所定の時間ドメインリソースでフィードバック情報を送信するしかできなく、それは、フィードバック情報の伝送の柔軟性に対する酷い制限となり、フィードバック情報の伝送の信頼性に影響を及ぶ。
【発明の概要】
【０００４】
本発明は、フィードバック情報の伝送方法及び装置を提供し、フィードバック情報の伝送の柔軟性と信頼性を向上させることができる。
【０００５】
第１態様において、フィードバック情報の伝送方法を提供し、当該方法は、
端末デバイスは、ネットワークデバイスより送信されたダウンリンクデータ内の第１ダウンリンクデータを受信することと、
当該端末デバイスは、第１時間ドメインリソースユニットの第１時間ドメインリソース集合における位置に基づいて、第２時間ドメインリソースユニットを確定することと、
当該端末デバイスは、当該第２時間ドメインリソースユニットにおいて、当該第１ダウンリンクデータに対するフィードバック情報を送信することと、
を含み、
ここで、当該ダウンリンクデータが、当該ネットワークデバイスが少なくとも一つの時間ドメインリソース集合を使用して送信されたものであり、当該少なくとも一つの時間ドメインリソース集合内のそれぞれの時間ドメインリソース集合が、一つ又は複数の連続した時間ドメインリソースユニットを含み、当該第１ダウンリンクデータが、当該少なくとも一つの時間ドメインリソース集合内の当該第１時間ドメインリソース集合内の当該第１時間ドメインリソースユニットにおいて伝送される。
【０００６】
本発明の実施例によるフィードバック情報の伝送方法は、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０００７】
第１態様を結合し、第１態様の第１種類の実現形態において、時間ドメインリソース集合毎に含まれる複数の連続した時間ドメインリソースユニットにおいて、各時間ドメインリソースユニットの時間長が同じであり、又は時間ドメインリソース集合毎に含まれる複数の連続した時間ドメインリソースユニットにおいて、少なくとも二つの時間ドメインリソースユニットの時間長が異なる。
【０００８】
第１態様及びそれの上記の実現形態を結合し、第１態様の第２種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、当該端末デバイスは、当該第１時間ドメインリソースユニットの当該第１時間ドメインリソース集合における位置に基づいて、第２時間ドメインリソースユニットを確定することは、
当該第１時間ドメインリソースユニットが、当該第１時間ドメインリソース集合内の時間ドメインにおける前のＱ−Ｔ個の時間ドメインリソースユニットに属する場合、当該端末デバイスは、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＫミリ秒であることを確定することを含み、ここで、Ｋが予め設定された値であり、Ｋ≧０である。
【０００９】
第１態様及びそれの上記の実現形態を結合し、第１態様の第３種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、当該端末デバイスは、当該第１時間ドメインリソースユニットの当該第１時間ドメインリソース集合における位置に基づいて、第２時間ドメインリソースユニットを確定することは、第１時間ドメインリソースユニットが、当該第１時間ドメインリソース集合内の時間ドメインにおける後ろのＴ個の時間ドメインリソースユニットに属する場合、当該端末デバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＫミリ秒であることを確定することを含み、ここで、Ｋが予め設定された値であり、Ｋ≧０であり、当該第２時間ドメインリソース集合が、時間ドメインにおいて当該第１時間ドメインリソース集合の後ろに位置する１個目の時間ドメインリソース集合である。
【００１０】
第１態様及びそれの上記の実現形態を結合し、第１態様の第４種類の実現形態において、当該端末デバイスは、ネットワークデバイスより送信されたダウンリンクデータ内の第１ダウンリンクデータを受信することは、端末デバイスは、アンライセンス搬送波を介して、ネットワークデバイスより送信されたダウンリンクデータ内の第１ダウンリンクデータを受信することを含み、当該端末デバイスは、当該第２時間ドメインリソースユニットにおいて、当該第１ダウンリンクデータに対するフィードバック情報を送信することは、当該端末デバイスは、アンライセンス搬送波を介して、当該第２時間ドメインリソースユニットにおいて、当該第１ダウンリンクデータに対するフィードバック情報を送信することを含む。
【００１１】
本発明の実施例によるフィードバック情報の伝送方法は、当該ネットワークデバイスがダウンリンクデータを送信する時に使用される時間ドメインリソース集合に、第２時間ドメインリソースユニットを接近させることによって、特に、ネットワークデバイスが端末デバイスとアンライセンスリソースを使用して無線通信を行う時に、当該第２時間ドメインリソースユニットがその他のネットワークデバイスに占用される可能性を大幅に低減することができ、それによってフィードバック情報の伝送の信頼性をさらに向上させることができる。
【００１２】
第１態様及びそれの上記の実現形態を結合し、第１態様の第５種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また当該端末デバイスは、当該第２時間ドメインリソースユニットにおいて、当該第１ダウンリンクデータに対するフィードバック情報を送信することは、当該端末デバイスは、当該第２時間ドメインリソースユニットにおいて、当該ネットワークデバイスにＣ×Ｌビットのフィードバック情報を送信することを含み、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【００１３】
第１態様及びそれの上記の実現形態を結合し、第１態様の第６種類の実現形態において、当該端末デバイスは、当該第２時間ドメインリソースユニットにおいて、当該第１ダウンリンクデータに対するフィードバック情報を送信することは、
当該端末デバイスは、当該第１時間ドメインリソースユニットの第１時間ドメインリソース集合における位置に基づいて、当該第２時間ドメインリソースユニットから、フィードバック情報を伝送するための第１ビットを確定することと、
当該端末デバイスは、当該第１ダウンリンクデータに対するフィードバック情報を当該第１ビットにベアリングすることと、
を含む。
【００１４】
本発明の実施例によるフィードバック情報の伝送方法によって、同一の時間ドメインリソースユニットは、複数のダウンリンクデータのフィードバック情報を伝送することができ、しかも、端末デバイスとネットワークデバイスとは、当該第１時間ドメインリソースユニットの当該第１時間ドメインリソース集合における位置に基づいて、第２時間ドメインリソースユニット内の当該第１ダウンリンクデータに対するフィードバック情報をベアラするためのビットを確定する。それによって、フィードバック情報を集中的に伝送させ、基地局の処理効率を向上させることができる。
【００１５】
第１態様及びそれの上記の実現形態を結合し、第１態様の第７種類の実現形態において、当該方法は、当該端末デバイスは、少なくとも一つの集合指示情報を受信することをさらに含み、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【００１６】
本発明の実施例によるフィードバック情報の伝送方法は、ネットワークデバイスと端末デバイスとの間で集合指示情報を伝送することによって、端末デバイスは、検出した時間ドメインリソース集合と、ネットワークデバイスで使用する時間ドメインリソース集合と一致しているか否かを確定することができ、それによってフィードバック情報の伝送の信頼性をさらに向上させることができる。
【００１７】
第２態様において、フィードバック情報の伝送方法を提供し、当該方法は、
ネットワークデバイスは、少なくとも一つの時間ドメインリソース集合を使用して、ダウンリンクデータを送信することと、
当該ネットワークデバイスは、第１時間ドメインリソースユニットの第１時間ドメインリソース集合における位置に基づいて、第２時間ドメインリソースユニットを確定することと、
当該ネットワークデバイスは、当該第２時間ドメインリソースユニットにおいて、当該第１ダウンリンクデータに対するフィードバック情報を受信することと、
を含み、当該少なくとも一つの時間ドメインリソース集合内のそれぞれの時間ドメインリソース集合が、一つ又は複数の連続した時間ドメインリソースユニットを含み、当該ダウンリンクデータは、端末デバイスに送信される第１ダウンリンクデータを含み、当該第１ダウンリンクデータが、当該少なくとも一つの時間ドメインリソース集合内の当該第１時間ドメインリソース集合内の当該第１時間ドメインリソースユニットにおいて伝送される。
【００１８】
第２態様を結合し、第２態様の第１種類の実現形態において、時間ドメインリソース集合毎に含まれる複数の連続した時間ドメインリソースユニットにおいて、各時間ドメインリソースユニットの時間長が同じであり、又は時間ドメインリソース集合毎に含まれる複数の連続した時間ドメインリソースユニットにおいて、少なくとも二つの時間ドメインリソースユニットの時間長が異なる。
【００１９】
第２態様及びそれの上記の実現形態を結合し、第２態様の第２種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、当該ネットワークデバイスは、当該第１時間ドメインリソースユニットの当該第１時間ドメインリソース集合における位置に基づいて、第２時間ドメインリソースユニットを確定することは、
当該第１時間ドメインリソースユニットが、当該第１時間ドメインリソース集合内の時間ドメインにおける前のＱ−Ｔ個の時間ドメインリソースユニットに属する場合、当該ネットワークデバイスは、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０である。
【００２０】
第２態様及びそれの上記の実現形態を結合し、第２態様の第３種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、当該ネットワークデバイスは、当該第１時間ドメインリソースユニットの当該第１時間ドメインリソース集合における位置に基づいて、第２時間ドメインリソースユニットを確定することは、
第１時間ドメインリソースユニットが、当該第１時間ドメインリソース集合内の時間ドメインにおける後ろのＴ個の時間ドメインリソースユニットに属する場合、当該ネットワークデバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０であり、当該第２時間ドメインリソース集合が、時間ドメインにおいて当該第１時間ドメインリソース集合の後ろに位置する１個目の時間ドメインリソース集合である。
【００２１】
第２態様及びそれの上記の実現形態を結合し、第２態様の第４種類の実現形態において、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、当該ネットワークデバイスは、当該第２時間ドメインリソースユニットにおいて、当該第１ダウンリンクデータに対するフィードバック情報を受信することは、
当該ネットワークデバイスは、当該第２時間ドメインリソースユニットにおいて、当該端末デバイスより送信されたＣ×Ｌビットのフィードバック情報を受信すること、
を含み、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【００２２】
第２態様及びそれの上記の実現形態を結合し、第２態様の第５種類の実現形態において、当該ネットワークデバイスは、当該第２時間ドメインリソースユニットにおいて、当該第１ダウンリンクデータに対するフィードバック情報を受信することは、
当該ネットワークデバイスは、当該第１時間ドメインリソースユニットの第１時間ドメインリソース集合における位置に基づいて、当該第２時間ドメインリソースユニットから、フィードバック情報を伝送するための第１ビットを確定することと、
当該ネットワークデバイスは、当該第１ビットにベアリングされる情報を当該第１ダウンリンクデータに対するフィードバック情報とすることと、
を含む。
【００２３】
第２態様及びそれの上記の実現形態を結合し、第２態様の第６種類の実現形態において、当該方法は、当該ネットワークデバイスは、少なくとも一つの集合指示情報を送信すること、
をさらに含み、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【００２４】
第２態様及びそれの上記の実現形態を結合し、第２態様の第７種類の実現形態において、当該ネットワークデバイスは、少なくとも一つの時間ドメインリソース集合を使用して、ダウンリンクデータを送信することは、
ネットワークデバイスは、アンライセンス搬送波を介して、少なくとも一つの時間ドメインリソース集合を使用してダウンリンクデータを送信することを含み、
当該ネットワークデバイスは、当該第２時間ドメインリソースユニットにおいて、当該第１ダウンリンクデータに対するフィードバック情報を受信することは、
当該ネットワークデバイスは、アンライセンス搬送波を介して、当該第２時間ドメインリソースユニットにおいて、当該第１ダウンリンクデータに対するフィードバック情報を受信することを含む。
【００２５】
第３態様において、フィードバック情報の伝送装置を提供し、上記の第１態様、及び第１態様の各実現形態における各ステップを実施するためのユニットを含む。
【００２６】
第４態様において、フィードバック情報の伝送装置を提供し、上記の第２態様、及び第２態様の各実現形態における各ステップを実施するためのユニットを含む。
【００２７】
第５態様において、フィードバック情報伝送デバイスを提供し、記憶装置とプロセッサとを含み、当該記憶装置は、コンピュータプログラムを記憶するために構成され、フィードバック情報伝送デバイスが、上記の第１態様、及びそれの各実現形態内のいずれか一つのフィードバック情報の伝送方法を実行できるように、当該プロセッサは、記憶装置から当該コンピュータプログラムを呼び出して実行するように構成される。
【００２８】
第６態様において、フィードバック情報伝送デバイスを提供し、記憶装置とプロセッサとを含み、当該記憶装置は、コンピュータプログラムを記憶するために構成され、フィードバック情報伝送デバイスが、上記の第２態様、及びそれの各実現形態内のいずれか一つのフィードバック情報の伝送方法を実行できるように、当該プロセッサは、記憶装置から当該コンピュータプログラムを呼び出して実行するように構成される。
【００２９】
第７態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターによって実行される時に、上記の第１態様、及びそれの各実現形態内のいずれか一つのフィードバック情報の伝送方法を、端末デバイスに実行させる。
【００３０】
第８態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターによって実行される時に、上記の第２態様、及びそれの各実現形態内のいずれか一つのフィードバック情報の伝送方法を、ネットワークデバイスに実行させる。
【００３１】
第９態様において、コンピュータ読み取り可能記憶媒体を提供し、前記コンピュータ読み取り可能記憶媒体にプログラムが記憶され、前記プログラムは、上記の第１態様、及びそれの各実現形態内のいずれか一つのフィードバック情報の伝送方法をユーザデバイスに実行させる。
【００３２】
第１０態様において、コンピュータ読み取り可能記憶媒体を提供し、前記コンピュータ読み取り可能記憶媒体にプログラムが記憶され、前記プログラムは、上記の第２態様、及びそれの各実現形態内のいずれか一つのフィードバック情報の伝送方法をネットワークデバイスに実行させる。
【図面の簡単な説明】
【００３３】
【図１】本発明の実施例に適するフィードバック情報の伝送方法の通信システムの一例の概略図である。
【図２】本発明の実施例におけるフィードバック情報の伝送方法の一例の概略的なフローチャートである。
【図３】時間ドメインリソース集合の一例の概略図である。
【図４】フィードバック情報をベアリングする時間ドメインリソースユニットを確定する一例の概略図である。
【図５】フィードバック情報をベアリングする時間ドメインリソースユニットを確定する別の一例の概略図である。
【図６】フィードバック情報をベアリングする時間ドメインリソースユニットを確定する更なる一例の概略図である。
【図７】時間ドメインリソースユニット内の各ビットの構成方式の一例の概略図である。
【図８】時間ドメインリソースユニット内の各ビットの構成方式の別の一例の概略図である。
【図９】時間ドメインリソースユニット内の各ビットの構成方式の一例の概略図である。
【図１０】時間ドメインリソースユニット内の各ビットの構成方式の別の一例の概略図である。
【図１１】本発明の実施例におけるフィードバック情報の伝送方法の別の一例の概略的なフローチャートである。
【図１２】本発明の実施例におけるフィードバック情報の伝送装置の一例の概略的なブロック図である。
【図１３】本発明の実施例におけるフィードバック情報の伝送装置の別の一例の概略的なブロック図である。
【図１４】本発明の実施例におけるフィードバック情報伝送デバイスの一例の概略的な構造図である。
【図１５】本発明の実施例におけるフィードバック情報伝送デバイスの別の一例の概略的な構造図である。
【発明を実施するための形態】
【００３４】
本発明の実施例の技術案をより明確に説明するために、上記に実施例又は先行技術の説明で必要となる図面を簡単に説明し、明らかに、上記に記載する図面は本発明のいくつかの実施例だけであり、当業者であれば、創造的な労力を払わない前提で、これらの図面に基づいて他の図面を得ることができる。
【００３５】
以下に本発明の実施例における図面を結合し、本発明の実施例における技術案を明確的、全面的に説明し、明らかに、説明した実施例は本発明の一部の実施例だけであり、全ての実施例ではない。本発明の実施例に基づき、当業者が創造的な労力を払わずに得られた他の実施例は、全て本発明の保護範囲に属する。
【００３６】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び／又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００３７】
本発明の実施例の技術案は、現行のセルラー通信システム、例えば、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）などのシステムに適用することが可能であり、サポートする通信は、主に音声とデータに関する通信に関わっている。通常、一つの従来の基地局は、サポートする接続数が限られており、実現しやすい。
【００３８】
次世代移動通信システムは、従来の通信だけではなく、Ｍ２Ｍ（Ｍａｃｈｉｎｅ  ｔｏ  Ｍａｃｈｉｎｅ）通信、又はＭＴＣ（Ｍａｃｈｉｎｅ  Ｔｙｐｅ  Ｃｏｍｍｕｎｉｃａｔｉｏｎ）通信とも称する通信もサポートする。予測によれば、２０２０年まで、ネットワークに接続するＭＴＣデバイスは、５００〜１０００億にも達し、現在の接続の数より大幅に超えることになる。Ｍ２Ｍタイプのサービスは、それのサービスタイプが様々であるため、ネットワークに対する要求が大きく相違している。大雑把に言うと、下記のいくつかの要求が存在する。
【００３９】
信頼性のある伝送であるが、遅延に敏感ではない。
【００４０】
低遅延であり、高信頼性のある伝送。
【００４１】
信頼性のある伝送で、遅延に敏感ではないサービスに対して、比較的に処理しやすいが、Ｖ２Ｖ（Ｖｅｈｉｃｌｅ  ｔｏ  Ｖｅｈｉｃｌｅ）サービス又はＶ２Ｘ（Ｖｅｈｉｃｌｅ  ｔｏ  Ｅｖｅｒｙｔｈｉｎｇ）サービスのような低遅延で、高信頼性のある伝送のようなサービスに対して、短い伝送遅延だけではなく、信頼性も求められている。伝送の信頼性がない場合、再送を引き起こすことによって、大幅な伝送遅延になり、要求を満たせない。大量の接続が存在することによって、将来の無線通信システムが現在の通信システムと大きく相違する。本発明の実施例による技術案は、伝送の信頼性問題を有効に解決することができる。
【００４２】
選択肢として、当該ネットワークデバイスは基地局であり、当該端末デバイスはユーザデバイスである。
【００４３】
本発明は端末デバイスと結合して各実施例を説明している。端末デバイスは、ユーザデバイス（ＵＥ：Ｕｓｅｒ  Ｅｑｕｉｐｍｅｎｔ）、移動局、アクセス端末、ユーザユニット、ユーザサイト、移動サイト、遠隔サイト、遠隔端末、移動デバイス、ユーザ端末、端末、無線通信装置、ユーザエージェント又はユーザデバイス等とも称される。端末デバイスは、無線ローカルエリアネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴ：ＳＴＡＩＯＮ）であっても良く、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置などであってもよい。
【００４４】
また、本発明の実施例において、端末デバイスは、中継（Ｒｅｌａｙ）等のようなその他のネットワークデバイス（例えば、基地局）とデータ通信を行えるデバイスも含むことが可能である。
【００４５】
また、本発明はネットワークデバイスを結合して各実施例を説明している。ネットワークデバイスは、移動局通信と通信を行うためのデバイスであっても良く、ネットワークデバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）におけるアクセスポイント（ＡＰ：ＡＣＣＥＳＳ  ＰＯＩＮＴ）、ＧＳＭ又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮＢ：ＮｏｄｅＢ）であっても良く、さらにロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおけるネットワークデバイス、又は将来の進化型ＰＬＭＮネットワークにおけるネットワークデバイスなどであっても良い。
【００４６】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリ（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００４７】
図１は、本発明の実施例に適するフィードバック情報の伝送方法の通信システムの一例の概略図である。図１に示すように、当該通信システム１００は、ネットワークデバイス１０２を含み、ネットワークデバイス１０２は、アンテナ１０４、１０６、１０８、１１０、１１２と１１４のような複数のアンテナを含む。また、ネットワークデバイス１０２は、送信機チェーンと受信機チェーンを付加的に含むことができる。それらは信号の送信と受信とに関係する複数の部品（例えば、プロセッサ、変調器、多重化器、マルチプレクサ、デマルチプレクサ又はアンテナなど）を含むことが可能であると、当業者は理解できる。
【００４８】
ネットワークデバイス１０２は、複数の端末デバイス（例えば、端末デバイス１１６と端末デバイス１２２）と通信できる。さらに、ネットワークデバイス１０２が端末デバイス１１６又は１２２と類似する任意数の端末デバイスと通信できると理解することが可能である。端末デバイス１１６と１２２は、例えば、セルラー電話、スマートフォン、ポータブルコンピュータ、ポータブル通信デバイス、ポータブル計算デバイス、衛星無線装置、グローバル定位システム、ＰＤＡ及び／又は無線通信システム１００上で通信するための任意のその他の適切なデバイスであっても良い。
【００４９】
図１に示すように、端末デバイス１１６は、アンテナ１１２、１１４と通信し、ここで、アンテナ１１２と１１４は、順方向リンク１１８を介して端末デバイス１１６に情報を送信し、逆方向リンク１２０を介して端末デバイス１１６から情報を受信する。また、端末デバイス１２２はアンテナ１０４、１０６と通信を行い、ここで、アンテナ１０４と１０６は順方向リンク１２４を介して端末デバイス１２２に情報送信し、逆方向リンク１２６を介して端末デバイス１２２から情報を受信する。
【００５０】
例えば、周波数分割複信（ＦＤＤ：Ｆｒｅｑｕｅｎｃｙ  Ｄｉｖｉｓｉｏｎ  Ｄｕｐｌｅｘ）システムにおいて、例えば、順方向リンク１１８は、逆方向リンク１２０に使用される異なる帯域を利用することが可能であり、順方向リンク１２４は、逆方向リンク１２６に使用される異なる帯域を利用することが可能である。
【００５１】
さらに例えば、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することが可能であり、順方向リンク１２４と逆方向リンク１２６とは共通の帯域を使用することが可能である。
【００５２】
通信用と設計された各アンテナ（又は複数のアンテナより構成されるアンテナセット）及び／又は領域は、ネットワークデバイス１０２のセクタと称される。例えば、アンテナセットをネットワークデバイス１０２のカバレッジ領域のセクタ内の端末デバイスと通信するように設計されても良い。ネットワークデバイス１０２が順方向リンク１１８と１２４とを介して、端末デバイス１１６及び１２２のそれぞれと通信を行う時に、ネットワークデバイス１０２の送信アンテナは、ビームフォーミングを利用して順方向リンク１１８と１２４との信号対雑音比を改善することが可能である。また、ネットワークデバイスが単一のアンテナでそれのすべての端末デバイスに信号を送信する方式と比べて、ネットワークデバイス１０２がビームフォーミングを利用して、関係するカバレッジ領域内のランダム、分散の端末デバイス１１６と１２２に信号を送信する場合、隣接セルにおける移動デバイスは、比較的に少ない干渉を受ける。
【００５３】
所定時間において、ネットワークデバイス１０２、端末デバイス１１６又は端末デバイス１２２は、無線通信送信装置及び／又は無線通信受信装置としても良い。データを送信する時に、無線通信送信装置は、伝送するためにデータに対して符号化を行うことができる。具体的に、無線通信送信装置は、チャネルを介して無線通信受信装置に送信する一定の数のデータビットを取得する（例えば、生成、その他の通信装置から受信、又は記憶装置に記憶するなど）。このようなデータビットは、データの伝送ブロック（又は複数の伝送ブロック）に含まれることができ、伝送ブロックは、断片化されることによって複数のコードブロックとして生成することが可能である。
【００５４】
また、当該通信システム１００は、公衆地上波移動体ネットワーク（ＰＬＭＮ：Ｐｕｂｌｉｃ  Ｌａｎｄ  Ｍｏｂｉｌｅ  Ｎｅｔｗｏｒｋ）ネットワーク又はＤ２Ｄネットワーク又はＭ２Ｍネットワーク又はＶ２Ｖネットワーク又はＶ２Ｘネットワーク又はその他のネットワークであっても良く、図１は、単なる例の概略図であり、ネットワークにその他のネットワークデバイスが含まれることも可能であり、図１に図示していない。
【００５５】
図２には、端末デバイスを視点として説明している本発明の実施例によるフィードバック情報の伝送方法２００の概略的なフローチャートを示しており、図２に示すように、当該方法２００は、Ｓ２１０〜Ｓ２３０を含む。
【００５６】
Ｓ２１０において、端末デバイスは、ネットワークデバイスより送信されたダウンリンクデータ内の第１ダウンリンクデータを受信し、ここで、当該ダウンリンクデータが、当該ネットワークデバイスが少なくとも一つの時間ドメインリソース集合を使用して送信されたものであり、当該少なくとも一つの時間ドメインリソース集合内のそれぞれの時間ドメインリソース集合が、一つ又は複数の連続した時間ドメインリソースユニットを含み、当該第１ダウンリンクデータが、当該少なくとも一つの時間ドメインリソース集合内の第１時間ドメインリソース集合内の第１時間ドメインリソースユニットにおいて伝送される。
【００５７】
Ｓ２２０において、当該端末デバイスは、当該第１時間ドメインリソースユニットの当該第１時間ドメインリソース集合における位置に基づいて、第２時間ドメインリソースユニットを確定する。
【００５８】
Ｓ２３０において、当該端末デバイスは、当該第２時間ドメインリソースユニットにおいて、当該第１ダウンリンクデータに対するフィードバック情報を送信する。
【００５９】
以下において、本発明の実施例におけるフィードバック情報の伝送方法２００に使用される周波数ドメインリソースと時間ドメインリソースとに対して説明を行う。
【００６０】
１．周波数ドメインリソース
本発明の実施例において、端末デバイスとネットワークデバイスとは、アンライセンススペクトルリソースを使用して無線通信を行うことができる。
【００６１】
選択肢として、当該端末デバイスが、ネットワークデバイスより送信されたダウンリンクデータ内の第１ダウンリンクデータを受信することは、端末デバイスは、アンライセンス搬送波を介して、ネットワークデバイスより送信されたダウンリンクデータ内の第１ダウンリンクデータを受信することを含み、当該端末デバイスが第２時間ドメインリソースユニットにおいて、当該第１ダウンリンクデータに対するフィードバック情報を送信することは、当該端末デバイスは、アンライセンス搬送波を介して、当該第２時間ドメインリソースユニットにおいて、当該第１ダウンリンクデータに対するフィードバック情報を送信することを含む。
【００６２】
また、選択肢として、当該ネットワークデバイスが少なくとも一つの時間ドメインリソース集合を使用して、ダウンリンクデータを送信することは、ネットワークデバイスは、アンライセンス搬送波を介して、少なくとも一つの時間ドメインリソース集合を使用してダウンリンクデータを送信することを含み、当該ネットワークデバイスが第２時間ドメインリソースユニットにおいて、当該第１ダウンリンクデータに対するフィードバック情報を受信することは、当該ネットワークデバイスは、アンライセンス搬送波を介して、当該第２時間ドメインリソースユニットにおいて、当該第１ダウンリンクデータに対するフィードバック情報を受信することを含む。
【００６３】
具体的に、アンライセンス帯域幅におけるリソース共有とは、当該帯域幅を共同使用する複数のデバイスの間で基本的な共存要求を満たすために、特定のスペクトルの使用に対する送信電力、帯域外漏洩等の指標だけにおける制限を規定すると意味をする。通信事業者がアンライセンス帯域幅リソースを利用してネットワークのキャパシティの分散の目的を達することができるが、異なる地域、及び異なるスペクトルのアンライセンス帯域幅リソースに関する法規要求を守る必要がある。これらの要求は、通常、レーダー等の公共システムを保護するためであり、また複数のシステムの間で可能な限り悪影響を与えず、公平共存させるために定められたものであり、送信電力制限、帯域外漏洩指標、屋内外の使用制限を含み、さらに個別の地域に付加的な共存ポリシー等もある。例えば、各通信デバイスが競争方式又はモニタリング方式、例えば、リッスンビフォートーク（ＬＢＴ：Ｌｉｓｔｅｎ  Ｂｅｆｏｒｅ  Ｔａｌｋ）で規定された方式を採用してスペクトルリソースを使用することができる。
【００６４】
先行技術において、フィードバック情報は、端末デバイスがダウンリンクデータを受信し後に所定時間（例えば、４ミリ秒）を経過してから送信されるものであり、即ち、端末デバイスがダウンリンクデータを受信してから、それに対して復号化して、対応するＡＣＫ／ＮＡＣＫ情報を基地局にフィードバックする。基地局は、ＡＣＫ／ＮＡＣＫ情報の伝送時間を確実に把握する必要があり、また、現行のＬＴＥ  ＦＤＤシステムにおいて、ダウンリンクデータをベアリングする物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）における時間ドメインリソースと、当該ダウンリンクデータのフィードバック情報をベアリングする時間ドメインリソースとの時間間隔は、４ｍｓと固定されている。
【００６５】
このような状況において、端末デバイスがアンライセンス搬送波においてダウンリンクデータを受信した後に、４ｍｓを経過してからフィードバック情報を送信する場合、この時に、当該搬送波は、その他の通信ノード（例えば、通信システムにおける当該ダウンリンクデータを送信するネットワークデバイス以外のネットワークデバイスである）により既に先占されている可能性が高い。端末デバイスがまだ当該時間リソースでフィードバック情報を送信した場合、その他の通信ノードに強い干渉をする一方、自身の検出性能も酷く影響される。
【００６６】
本発明の実施例によるフィードバック情報の伝送方法は、当該ネットワークデバイスがダウンリンクデータを送信する時に使用される時間ドメインリソース集合に、第２時間ドメインリソースユニットを接近させることによって、特に、ネットワークデバイスが端末デバイスとアンライセンスリソースを使用して無線通信を行う時に、当該第２時間ドメインリソースユニットがその他のネットワークデバイスに占用される可能性を大幅に低減することができ、それによってフィードバック情報の伝送の信頼性をさらに向上させることができる。
【００６７】
限定ではなく例として、本発明の実施例において、当該アンライセンススペクトルリソースは、５ＧＨｚ付近の約９００ＭＨｚの帯域幅、２.４ＧＨｚ帯域幅付近の約９０ＭＨｚの帯域幅を含むことが可能である。
【００６８】
それに応じて、本発明の実施例における通信システム１００は、アンライセンス帯域幅が使用できる通信システムであっても良く、限定ではなく例として、当該通信システム１００は、アンライセンス搬送波におけるロング・ターム・エボリューションシステムＬＡＡ−ＬＴＥ（Ｌｉｃｅｎｓｅｄ−Ａｓｓｉｓｔｅｄ  Ａｃｃｅｓｓ  Ｕｓｉｎｇ  ＬＴＥ）技術を採用しても良く、後者は、当該通信システムのアンライセンス帯域幅における単独配備をサポートする技術、例えば、Ｓｔａｎｄａｌｏｎｅ  ＬＴＥ  ｏｖｅｒ  ｕｎｌｉｃｅｎｓｅｄ  ｓｐｅｃｔｒｕｍを採用しても良く、又は、ＬＴＥ−Ｕ（ＬＴＥ−Ｕ：ＬＴＥ  Ａｄｖａｎｃｅｄ  ｉｎ  Ｕｎｌｉｃｅｎｓｅｄ  Ｓｐｅｃｔｒｕｍｓ）技術を採用しても良く、即ち、通信システム１００は、ＬＴＥシステムをアンライセンス帯域幅に単独配備し、さらに、アンライセンス帯域幅においてＬＴＥエアインターフェースプロトコルを採用して通信を完成させることができ、当該システムはライセンス帯域幅を含まない。アンライセンス帯域幅に配備するＬＴＥシステムは、集中スケジューリング、干渉協調、自動再送要求（ＨＡＲＱ）などの技術、Ｗｉ−Ｆｉ等のアクセス技術を利用することができ、当該技術は、より良いロバスト性を有し、より優れたスペクトル効率を得ることができ、より大きいカバレッジ範囲、より良いユーザエクスペリエンスを提供することができる。
【００６９】
本発明の実施例において、通信システム１００は、例えば、ライセンス補助アクセス（ＬＡＡ：Ｌｉｃｅｎｓｅｄ−Ａｓｓｉｓｔｅｄ  Ａｃｃｅｓｓ）、デュアル接続（ＤＣ：Ｄｕａｌ  Ｃｏｎｎｅｃｔｉｖｉｔｙ）、アンライセンス補助アクセス（Ｓｔａｎｄａｌｏｎｅ）技術等を採用することができる。ここで、ライセンス補助アクセスＬＡＡは、現行のＬＴＥシステムにおけるキャリアアグリゲーション（ＣＡ：Ｃａｒｒｉｅｒ  Ａｇｇｒｅｇａｔｉｏｎ）の構成と構造を利用して、通信事業者のライセンス帯域幅上の搬送波（ライセンス搬送波）を構成して通信することに基づいて、複数のアンライセンス帯域幅上の搬送波（アンライセンス搬送波）を構成し、ライセンス搬送波を補助としてアンライセンス搬送波を利用して通信を行う。つまり、ＬＴＥデバイスは、ＣＡ方式によって、ライセンス搬送波をプライマリーコンポーネントキャリア（ＰＣＣ：Ｐｒｉｍａｒｙ  Ｃｏｍｐｏｎｅｎｔ  Ｃａｒｒｉｅｒ）又はプライマリーセル（ＰＣｅｌｌ：Ｐｒｉｍａｒｙ  Ｃｅｌｌ）として、アンライセンス搬送波をセカンダリーコンポーネントキャリア（ＳＣＣ：Ｓｅｃｏｎｄａｒｙ  Ｃｏｍｐｏｎｅｎｔ  Ｃａｒｒｉｅｒ）又はセカンダリーセル（ＳＣｅｌｌ：Ｓｅｃｏｎｄａｒｙ  Ｃｅｌｌ）とする。デュアル接続ＤＣ技術は、ライセンス搬送波とアンライセンス搬送波を非ＣＡ（つまり、非理想バックホールｂａｃｋｈａｕｌ）方式によって共同使用する技術を含み、又は、複数のアンライセンス搬送波を非ＣＡ方式によって共同使用する技術も含む。ＬＴＥデバイスは、単独配備方式によって、アンライセンス搬送波に直接に配備することができる。
【００７０】
なお、以上に列挙されている端末デバイスとネットワークデバイスとの使用する周波数ドメインリソースは、例示的な説明に過ぎず、本発明は、それに限定されない。例えば、本発明の実施例において、端末デバイスとネットワークデバイスとは、ライセンススペクトルリソースを使用して無線通信することも可能である。
【００７１】
ライセンススペクトルリソースは、通常、国家又は地方無線委員会による審査のうえで使用可能になるスペクトルリソースであり、例えばＬＴＥシステムとＷｉＦｉシステムのような異なるシステム、又は、異なる通信事業者に使用されるシステムは、ライセンススペクトルリソースを共有して使用することができない。
【００７２】
２．時間ドメインリソース
図３に示すように、本発明の実施例において、ネットワークデバイスと端末デバイスとのデータと情報とを伝送するための時間ドメインリソースは、複数の時間ドメインリソースユニットに分けることが可能である。
【００７３】
また、本発明の実施例において、当該複数の時間ドメインリソースユニットは、連続したものであっても良く、幾つかの隣接の時間ドメインリソースユニットの間に予め設定された時間間隔が設定されても良く、本発明において特に限定しない。
【００７４】
限定ではなく例として、本発明の実施例において、一つの時間ドメインリソースユニットの長さは、先行技術における例えば、ＬＴＥ通信システムの一つのサブフレームの長さ、即ち、１ミリ秒であっても良い。
【００７５】
また、本発明の実施例において、ネットワークデバイスと端末デバイスとの間で（一つ又は複数の）時間ドメインリソース集合を使用してダウンリンクデータを伝送する。
【００７６】
以下において、図３を結合して本発明の実施例における時間ドメインリソース集合を詳しく説明する。
【００７７】
本発明の実施例において、一つの時間ドメインリソース集合は、一つ又は複数の時間ドメインリソースユニットを含むことが可能である。
【００７８】
また、一つの時間ドメインリソース集合が、複数の時間ドメインリソースユニットを含む場合、当該時間ドメインリソース集合内の複数の時間ドメインリソースユニットは、連続又は非連続的（例えば、幾つかの隣接の時間ドメインリソースユニットの間に時間間隔が設定されている）であっても良く、本発明において特に限定しない。
【００７９】
選択肢として、時間ドメインリソース集合毎に含まれる複数の連続した時間ドメインリソースユニットにおいて、各時間ドメインリソースユニットの時間長が同じである。
【００８０】
即ち、本発明の実施例において、一つの時間ドメインリソース集合内の各時間ドメインリソースユニットのそれぞれは、完全無欠な時間ドメインリソースユニットであっても良い。
【００８１】
例えば、図３に示すように、時間ドメインリソース集合＃１内の各時間ドメインリソースユニットのそれぞれは、完全無欠な時間ドメインリソースユニットであっても良く、即ち、時間ドメインリソース集合＃１内の各時間ドメインリソースユニットの時間長が同じである。
【００８２】
又は、選択肢として、時間ドメインリソース集合毎に含まれる複数の連続した時間ドメインリソースユニットにおいて、少なくとも二つの時間ドメインリソースユニットの時間長が異なる。
【００８３】
即ち、本発明の実施例において、一つの時間ドメインリソース集合内の一部の時間ドメインリソースユニットは、完全な時間ドメインリソースユニットでなくても良い。
【００８４】
例えば、図３に示すように、時間ドメインリソース集合＃２内の１個目の時間ドメインリソースユニットは、完全な時間ドメインリソースユニットでない。時間ドメインリソース集合＃３内の最後の一つの時間ドメインリソースユニットは、完全な時間ドメインリソースユニットではない。時間ドメインリソース集合＃４内の１個目の時間ドメインリソースユニットと最後の一つの時間ドメインリソースユニットとは、いずれも完全な時間ドメインリソースユニットではない。
【００８５】
また、本発明の実施例において、隣接の時間ドメインリソース集合の間に時間間隔が設定されても良く、例えば、隣接の時間ドメインリソース集合の間に一つ又は複数の時間ドメインリソースユニットが設定されても良い。
【００８６】
また、本発明の実施例において、一つの時間ドメインリソース集合は、一つのネットワークデバイスのデータだけを伝送するために用いられ、例えば、周波数ドメインリソースがアンライセンス周波数ドメインリソースである場合、通信システムにおける各ネットワークデバイスは、競争方式を採用してある時間ドメインリソース集合を使用することができる。
【００８７】
また、本発明の実施例において、一つの時間ドメインリソース集合内の時間ドメインリソースユニットは、一つの端末デバイスのデータを伝送するために用いられても良く、複数の端末デバイスのデータを伝送するために用いられても良く、本発明において特に限定しない。例えば、同じネットワークデバイスがサービスする複数の端末デバイスは、周波数分割多重化又は時分割多重化などの方式を採用して、一つの時間ドメインリソース集合内の時間ドメインリソースユニットによって、当該ネットワークデバイスより送信されたデータを受信することができる。
【００８８】
本発明の実施例において、各時間ドメインリソース集合は、事前に分けることが可能であり（つまり、静的又は準静的構成されたもの）、即ち、各時間ドメインリソース集合通信システムの上位レイヤ管理デバイスは、時間ドメインリソース集合を分けて各ネットワークデバイスに通知し、又は、各時間ドメインリソース集合の分け方は、通信プロトコルによって規定されても良く、又は、各時間ドメインリソース集合の分け方は工場設定又は管理者の設定などの方式で各ネットワークデバイスに予め記憶される。
【００８９】
又は、本発明の実施例において、各時間ドメインリソース集合は、各ネットワークデバイスによって自主的に確定されるもの（つまり、動的に変化するものと）であっても良く、即ち、各ネットワークデバイスが競争方式を採用して使用可能な時間ドメインリソースユニットを確定することができ、競争して得られた一つ又は複数の時間ドメインリソースユニットを一つ又は複数の時間ドメインリソース集合とする。例えば、ネットワークデバイスは、競争して得られた複数の時間ドメインリソースユニットを同じ時間ドメインリソース集合に設定しても良い。
【００９０】
また、本発明の実施例において、各時間ドメインリソース集合に含まれる時間ドメインリソースユニットの数が同じであっても良く、異なっても良く、本発明において特に限定しない。
【００９１】
以下において、一般性を失うこともなく、通信システムにおける一つのネットワークデバイス（以下、理解、区別の便利上、ネットワークデバイス＃Ａと記述する）と、当該ネットワークデバイス＃Ａのサービスする一つの端末デバイス（以下、理解、区別の便利上、端末デバイス＃Ａと記述する）との通信過程を例として、当該方法２００の具体的なフローに対して詳しく説明する。
【００９２】
即ち、当該方法２００において、ネットワークデバイス＃Ａは端末デバイス＃Ａにダウンリンクデータ（即ち、第１ダウンリンクデータの一例であり、以下、理解、区別の便利上、ダウンリンクデータ＃Ａと記述する）を送信し、端末デバイス＃Ａは、ネットワークデバイス＃Ａに、当該ダウンリンクデータ＃Ａに対するフィードバック情報（即ち、当該第１ダウンリンクデータに対するフィードバック情報の一例であり、以下、理解と説明の便利上、フィードバック情報＃Ａと記述する）を送信する。
【００９３】
本発明の実施例において、ネットワークデバイス＃Ａが、当該ダウンリンクデータ＃Ａを送信する時に、当該ダウンリンクデータ＃Ａを伝送する時間ドメインリソースユニット（以下、理解の便利上、時間ドメインリソースユニット＃Ａと記述する）を記録することができる。また、ネットワークデバイス＃Ａは、当該時間ドメインリソースユニット＃Ａの属する時間ドメインリソース集合（以下、理解、区別の便利上、時間ドメインリソース集合＃Ａと記述する）、及び当該時間ドメインリソースユニット＃Ａの当該時間ドメインリソース集合＃Ａにおける位置を記録することができる。
【００９４】
また、本発明の実施例において、端末デバイス＃Ａは、ネットワークデバイス＃Ａのスケジューリング又はブラインド検出などの方式によって、当該ダウンリンクデータ＃Ａをベアリングする時間ドメインリソースを確定することができ、さらに当該ダウンリンクデータ＃Ａをベアリングする時間ドメインリソースに対応する時間ドメインリソースユニット（即ち、時間ドメインリソースユニット＃Ａ）を確定し、当該時間ドメインリソースユニット＃Ａにおいて当該ダウンリンクデータ＃Ａを受信する。
【００９５】
また、端末デバイスは、当該ダウンリンクデータ＃Ａの受信状況に基づいて、フィードバック情報＃Ａ（例えば、ＡＣＫ又はＮＡＣＫ）を確定することができる。
【００９６】
本発明の実施例において、端末デバイス＃Ａは、下記の方式を採用して、当該ダウンリンクデータ＃Ａを伝送するための時間ドメインリソース集合（即ち、時間ドメインリソース集合＃Ａ）、及び当該時間ドメインリソースユニット＃Ａの当該時間ドメインリソース集合＃Ａにける位置を確定することができる。
【００９７】
選択肢として、前記方法は、
当該端末デバイスは、少なくとも一つの集合指示情報を受信することをさらに含み、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【００９８】
具体的に、限定ではなく例として、本発明の実施例において、それぞれの時間ドメインリソース集合は、一つの番号を有し、また、隣接の二つの時間ドメインリソース集合の番号が異なり、つまり、隣接の二つの時間ドメインリソース集合の番号の関係と、当該隣接の二つの時間ドメインリソース集合の時間ドメインにおける位置関係と互いに対応しあう。
【００９９】
限定ではなく例として、本発明の実施例において、例えば、２ビットを含む情報指示時間ドメインリソースの番号を使用することが可能である。例えば、仮に時間ドメインに、例えば４個の時間ドメイン上で順序付けで並んでいる時間ドメインリソース集合が存在し、それぞれは、時間ドメインリソース集合＃１、時間ドメインリソース集合＃２、時間ドメインリソース集合＃３、時間ドメインリソース集合＃４であり、ここで、時間ドメインリソース集合＃１が時間ドメインリソース集合＃２と隣接し、時間ドメインリソース集合＃２が時間ドメインリソース集合＃３と隣接し、時間ドメインリソース集合＃３が時間ドメインリソース集合＃４と隣接する。
【０１００】
その場合、本発明の実施例において、当該時間ドメインリソース集合＃１の番号は「００」であっても良く、当該時間ドメインリソース集合＃２の番号は「０１」であっても良く、当該時間ドメインリソース集合＃３の番号は「１０」であっても良く、当該時間ドメインリソース集合＃４の番号は「１１」であっても良い。
【０１０１】
それによって、端末デバイスは、各間ドメインリソース集合の番号に基づいて、各時間ドメインリソース集合を区別することができ、また、時間ドメインリソース集合の番号に基づいて、各時間ドメインリソース集合の並び順序を確定することができる。
【０１０２】
なお、上記に列挙されている時間ドメインリソース集合の番号の割り当て方式は、例示的な説明に過ぎず、本発明は、それに限定されない。例えば、通信システムにおいて、その他の数の時間ドメインリソース集合を使用することも可能であり、この場合、例えば、上記の番号を繰り返して使用することが可能である、例えば、時間ドメインにおける時間ドメインリソース集合＃１と隣接し、しかも時間ドメインリソース集合＃１の前に位置する時間ドメインリソース集合＃０に、「１１」と割り当てして番号とすることが可能である、さらに、例えば、時間ドメインにおける時間ドメインリソース集合＃４と隣接し、しかも時間ドメインリソース集合＃４の前の時間ドメインリソース集合＃５に「００」と割り当てして番号とすることが可能である。又は、番号はビットであっても良く、任意に設定されても良く、本発明において特に限定しない。
【０１０３】
本発明の実施例において、ネットワークデバイス＃Ａは、当該時間ドメインリソース集合＃Ａの番号情報、即ち、インデックス情報を当該時間ドメインリソース集合＃Ａの各時間ドメインリソースユニットにベアリングすることができ、それによって、端末デバイス＃Ａは、当該時間ドメインリソース集合＃Ａのインデックス情報を含む時間ドメインリソースユニットを、当該時間ドメインリソース集合＃Ａ内の各時間ドメインリソースユニットと確定することができる。
【０１０４】
なお、上記に列挙されている集合指示情報に使用される具体的なパラメータと送信方式は、例示的な説明に過ぎず、本発明は、それに限定されない。例えば、ネットワークデバイス＃Ａは、当該時間ドメインリソース集合＃Ａ内の所定位置に並んでいる（例えば、１個目の）時間ドメインリソースユニットだけに、当該時間ドメインリソース集合＃Ａのインデックス情報を含ませることができ、それによって、端末デバイスは、当該時間ドメインリソース集合＃Ａのインデックス情報を含む時間ドメインリソースユニットの位置、当該時間ドメインリソース集合＃Ａに含まれる時間ドメインリソースユニットの数に基づいて、当該時間ドメインリソース集合＃Ａ内の各時間ドメインリソースユニットを確定することができる。
【０１０５】
なお、本発明の実施例において、当該時間ドメインリソース集合＃Ａに含まれる時間ドメインリソースユニットの数は、システムによって規定されても良く、ネットワークデバイス＃Ａによって指示されても良く、本発明において特に限定しない。
【０１０６】
そのため、端末デバイス＃Ａは、時間ドメインリソース集合＃Ａ、及び時間ドメインリソース集合＃Ａに含まれる各時間ドメインリソースユニットを確定することができ、それによって、端末デバイス＃Ａは、時間ドメインリソースユニット＃Ａの時間ドメインリソース集合＃Ａにおける位置を確定することができる。
【０１０７】
なお、上記に列挙されている端末デバイス＃Ａは、時間ドメインリソースユニット＃Ａの時間ドメインリソース集合＃Ａにおける位置を確定する方式は例示的な説明に過ぎず、本発明は、それに限定されない。例として、下記の通りである。
【０１０８】
選択肢として、当該方法は、
当該端末デバイスは、第１時間ドメインリソースユニットのシーケンス番号を確定することをさらに含み、ここで、一つのシーケンス番号は、一つの時間ドメインリソースユニットの一つの時間ドメインリソース集合における位置を一意的に指示するために用いられる。
【０１０９】
当該端末デバイスは、当該第１時間ドメインリソースユニットのシーケンス番号に基づいて、当該第１時間ドメインリソースユニットの当該第１時間ドメインリソース集合における位置を確定する。
【０１１０】
具体的に、本発明の実施例において、時間ドメインリソース集合内のそれぞれの時間ドメインリソースユニットは、シーケンス番号（例えば、ネットワークデバイス＃Ａ又は上位レイヤデバイスによって時間ドメインリソースユニットに追加可能である）を備えることが可能であり、ここで、一つのシーケンス番号は、一つの時間ドメインリソース集合内の一つの時間ドメインリソースユニットを一意的に指示するために用いられ、例えば、一つの時間ドメインリソースユニットのシーケンス番号は、当該時間ドメインリソースユニットの所属する時間ドメインリソース集合における位置に対応することが可能である。それによって、端末デバイス＃Ａは、時間ドメインリソースユニット＃Ａのシーケンス番号、及び当該時間ドメインリソースユニット＃Ａに含まれる時間ドメインリソースユニットの数に基づいて、当該時間ドメインリソース集合＃Ａ内の各時間ドメインリソースユニットを確定することができる。
【０１１１】
選択肢として、当該シーケンス番号は、サブフレーム番号である。
【０１１２】
具体的に、本発明の実施例において、サブフレームを使用して時間ドメインリソースユニットとする時に、サブフレーム番号を利用して時間ドメインリソースユニットのシーケンス番号とすることが可能であり、即ち、サブフレーム番号が各サブフレームの時間ドメインにおける並び順序と対応するため、ネットワークデバイスと端末デバイスとは、同じ時間ドメインリソース集合内の各サブフレーム（即ち、時間ドメインリソースユニットの一例）のサブフレーム番号に基づいて、各サブフレームの時間ドメインリソース集合における位置を確定することができる。
【０１１３】
なお、上記に列挙されているネットワークデバイス＃Ａと端末デバイス＃Ａとは、時間ドメインリソース集合＃Ａ、及び時間ドメインリソースユニット＃Ａの時間ドメインリソース集合＃Ａにおける位置を確定する方式は例示的な説明に過ぎず、本発明は、それに限定されない。ネットワークデバイス＃Ａと端末デバイス＃Ａとが確定された時間ドメインリソースユニット＃Ａの所属する時間ドメインリソース集合が一致することを確保し、且つ、ネットワークデバイス＃Ａと端末デバイス＃Ａとが確定された時間ドメインリソースユニット＃Ａの時間ドメインリソース集合における位置が一致することを確保することができる前提で、当業者は、上記の方式と過程に対して如何なる変更を行っても良い。
【０１１４】
通常、通信システムにおける通信デバイスは、処理の遅延（例えば、アップ・ダウンリンク伝送、変換における遅延）があり得り、例えば、現在のＬＴＥシステムにおける処理遅延が４ミリ秒であり、即ち、ダウンリンクサブフレームの末尾位置とアップサブフレームの開始位置との間に、少なくとも３個のサブフレームが挟まれる。本発明の実施例において、フィードバック情報＃Ａを伝送するための時間ドメインリソースユニット（即ち、第２時間ドメインリソースユニットの一例であり、以下、理解と説明の便利上、時間ドメインリソースユニット＃Ｂと記述する）の時間ドメインにおける具体的な位置は、当該処理遅延に相関する。
【０１１５】
即ち、当該時間ドメインリソース集合＃Ａに含まれる時間ドメインリソースユニットの数がＱであるとした場合、Ｑ≧Ｔの状況（即ち、状況１）と１≦Ｑ＜Ｔの状況（即ち、状況２）とがあり得り、ここで、Ｔが正の整数であり、Ｔの値が上記の処理遅延によって確定され、例えば、処理遅延が４ミリ秒である場合、Ｔ≧３になる。
【０１１６】
以下において、状況１と状況２において、時間ドメインリソースユニット＃Ｂを確定する過程に対して詳しく説明する。
【０１１７】
状況１
選択肢として、当該第１時間ドメインリソース集合は、Ｑ個の時間ドメインリソースユニットを含み、ここで、Ｑ＞Ｔ、ここでＴが正の整数であり、Ｔの値がシステム処理遅延によって確定され、また、
当該端末デバイスは、当該第１時間ドメインリソースユニットの当該第１時間ドメインリソース集合における位置に基づいて、第２時間ドメインリソースユニットを確定することは、
当該第１時間ドメインリソースユニットが、当該第１時間ドメインリソース集合内の時間ドメインにおける前のＱ−Ｔ個の時間ドメインリソースユニットに属する場合、当該端末デバイスは、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＫミリ秒であることを確定する、ここで、Ｋが予め設定された値であり、Ｋ≧０である。
【０１１８】
具体的に、図４は、フィードバック情報をベアリングする時間ドメインリソースユニットを確定する一例の概略図である。図４に示すように、Ｑ＞Ｔであり、当該時間ドメインリソースユニット＃Ａが時間ドメインリソース集合＃Ａ内の前のＱ−Ｔ個の時間ドメインリソースユニットに属し、例えば、Ｔ＝３であり、時間ドメインリソース集合＃Ａが５個の時間ドメインリソースユニット（即ち、Ｑ＝５）を含み、しかも、当該時間ドメインリソースユニット＃Ａが当該時間ドメインリソース集合＃Ａ内の先頭２（即ち、Ｑ−Ｔ）個の時間ドメインリソースユニットに属する場合、端末デバイス＃Ａとネットワークデバイス＃Ａとは、当該時間ドメインリソースユニット＃Ｂが当該時間ドメインリソース集合＃Ａ（つまり、時間ドメインリソース集合＃Ａ内の最後の一つの時間ドメインリソースユニットの末尾位置）の後ろに位置することを確定することができ、しかも、端末デバイス＃Ａとネットワークデバイス＃Ａとは、当該時間ドメインリソースユニット＃Ｂの開始位置と、当該時間ドメインリソース集合＃Ａ内の最後の一つの時間ドメインリソースユニットの末尾位置との間の間隔が予め設定された値（即ち、Ｋミリ秒で、Ｋ≧０である）であることを確定することができる。
【０１１９】
なお、本発明の実施例において、当該Ｋの具体的な値は、通信プロトコルにより規定されても良く、ネットワークデバイス＃Ａにより設定され、端末デバイス＃Ａに通知されても良く、本発明において特に限定しない、例えば、当該Ｋの値は２５であっても良い。また、当該第２時間ドメインリソースユニットの開始位置と、当該第１時間ドメインリソース集合内の最後の一つの時間ドメインリソースユニットの末尾位置との間の間隔をミリ秒レベルにすることによって、フィードバック情報をベアリングするための時間ドメインリソースを、ダウンリンクデータをベアリングするための時間ドメインリソースのすぐ隣にすることができ、それによって、当該フィードバック情報をベアリングするための時間ドメインリソースがその他のネットワークデバイスに占用される可能性を低減することができ、それによってフィードバック情報の伝送の信頼性を向上させる。
【０１２０】
また、本発明の実施例において、端末デバイス＃Ａとネットワークデバイス＃Ａとは、当該時間ドメインリソースユニット＃Ａが時間ドメインリソース集合＃Ｂ（即ち、第２時間ドメインリソース集合の一例）の前に位置することが確定することができ、ここで、当該時間ドメインリソース集合＃Ｂは、時間ドメインリソース集合＃Ａの後ろの、当該端末デバイス＃Ａがダウンリンクデータを伝送するのに使用される１個目の時間ドメインリソース集合である。
【０１２１】
本発明によるフィードバック情報の伝送方法は、当該第１時間ドメインリソースユニットが、当該第１時間ドメインリソース集合内の時間ドメインにおける前のＱ−Ｔ個の時間ドメインリソースユニットに属する時に、当該第２時間ドメインリソースユニットを、当該第１時間ドメインリソース集合の後ろに位置させることによって、フィードバック情報の伝送メカニズムをネットワークデバイスと端末デバイスとのアップ・ダウンリンク変換の処理遅延を満たすことができ、また、フィードバック情報をベアリングするための時間ドメインリソースを、ダウンリンクデータをベアリングするための時間ドメインリソースのすぐ隣にすることができ、それによって、フィードバック情報の伝送の信頼性を一層に向上させることができる。
【０１２２】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該端末デバイスは、当該第１時間ドメインリソースユニットの当該第１時間ドメインリソース集合における位置に基づいて、第２時間ドメインリソースユニットを確定することは、
第１時間ドメインリソースユニットが、当該第１時間ドメインリソース集合内の時間ドメインにおける後ろのＴ個の時間ドメインリソースユニットに属する場合、当該端末デバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定することを含み、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０１２３】
具体的に、図５は、フィードバック情報をベアリングする時間ドメインリソースユニットを確定する一例の概略図である。図５に示すように、Ｑ≧Ｔであり、当該時間ドメインリソースユニット＃Ａが時間ドメインリソース集合＃Ａの後ろのＴ個の時間ドメインリソースユニットに属し、例えば、Ｔ＝３であり、時間ドメインリソース集合＃Ａが５個の時間ドメインリソースユニット（即ち、Ｑ＝５）を含み、しかも、当該時間ドメインリソースユニット＃Ａが当該時間ドメインリソース集合＃Ａの末尾より３（即ち、Ｔ）個の時間ドメインリソースユニットに属する場合、端末デバイス＃Ａとネットワークデバイス＃Ａとは、当該時間ドメインリソースユニット＃Ｂが当該時間ドメインリソース集合＃Ｂ（つまり、時間ドメインリソース集合＃Ｂ内の最後の一つの時間ドメインリソースユニットの末尾位置）の後に位置し、しかも、端末デバイス＃Ａとネットワークデバイス＃Ａとは、当該時間ドメインリソースユニット＃Ｂの開始位置と、当該時間ドメインリソース集合＃Ａ内の最後の一つの時間ドメインリソースユニットの末尾位置との間の間隔が予め設定された値（即ち、Ｋミリ秒、Ｋ≧０）であることを確定することができる。
【０１２４】
ここで、当該時間ドメインリソース集合＃Ｂ（即ち、第２時間ドメインリソース集合の一例）は、時間ドメインリソース集合＃Ａの後ろの当該端末デバイス＃Ａがダウンリンクデータを伝送するのみ使用される１個目の時間ドメインリソース集合である。
【０１２５】
なお、本発明の実施例において、当該Ｋの具体的な値は、通信プロトコルにより規定されても良く、ネットワークデバイス＃Ａにより設定され、端末デバイス＃Ａに通知されても良く、本発明において特に限定しない。また、当該第２時間ドメインリソースユニットの開始位置と、当該第２時間ドメインリソース集合内の最後の一つの時間ドメインリソースユニットの末尾位置との間の間隔をミリ秒レベルにすることによって、フィードバック情報をベアリングするための時間ドメインリソースを、ダウンリンクデータをベアリングするための時間ドメインリソースのすぐ隣にすることができ、それによって、当該フィードバック情報をベアリングするための時間ドメインリソースがその他のネットワークデバイスに占用される可能性を低減することができ、それによってフィードバック情報の伝送の信頼性を向上させる。
【０１２６】
本発明によるフィードバック情報の伝送方法は、当該第１時間ドメインリソースユニットが、当該第１時間ドメインリソース集合内の時間ドメインにおける後ろのＴ個の時間ドメインリソースユニットに属する時に、当該第２時間ドメインリソースユニットを当該第２時間ドメインリソース集合の後ろに位置させることによって、フィードバック情報の伝送メカニズムを、ネットワークデバイスと端末デバイスとのアップ・ダウンリンク変換の処理遅延を満たすことができ、また、フィードバック情報をベアリングするための時間ドメインリソースを、ダウンリンクデータをベアリングするための時間ドメインリソースにすぐ隣接させることができ、それによって、フィードバック情報の伝送の信頼性を一層に向上させることができる。
【０１２７】
状況２
選択肢として、当該第１時間ドメインリソース集合は、Ｑ個の時間ドメインリソースユニットを含み、ここで、Ｑ＜Ｔであり、ここでＴが正の整数であり、Ｔの値がシステム処理遅延によって確定され、また、
当該端末デバイスは、当該第１時間ドメインリソースユニットの当該第１時間ドメインリソース集合における位置に基づいて、第２時間ドメインリソースユニットを確定することは、
当該端末デバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定することを含み、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０１２８】
具体的に、図６は、フィードバック情報をベアリングする時間ドメインリソースユニットを確定する一例の概略図である。図６に示すように、Ｑ＜Ｔであり、例えば、Ｔ＝３であり、時間ドメインリソース集合＃Ａが２個の時間ドメインリソースユニット（即ち、Ｑ＝２）を含む場合、端末デバイス＃Ａとネットワークデバイス＃Ａとは、当該時間ドメインリソースユニット＃Ｂが、当該時間ドメインリソース集合＃Ｂ（つまり、時間ドメインリソース集合＃Ｂ内の最後の一つの時間ドメインリソースユニットの末尾位置）の後ろに位置し、しかも、端末デバイス＃Ａとネットワークデバイス＃Ａとは、当該時間ドメインリソースユニット＃Ｂの開始位置と、当該時間ドメインリソース集合＃Ａ内の最後の一つの時間ドメインリソースユニットの末尾位置との間隔が予め設定された値（即ち、Ｋミリ秒であり、Ｋ≧０である）であることを確定することができる。
【０１２９】
ここで、当該時間ドメインリソース集合＃Ｂ（即ち、第２時間ドメインリソース集合の一例）は、時間ドメインリソース集合＃Ａの後ろの、当該端末デバイス＃Ａがダウンリンクデータを伝送するのに使用される１個目の時間ドメインリソース集合である。
【０１３０】
なお、本発明の実施例において、当該Ｋの具体的な値は、通信プロトコルにより規定されても良く、ネットワークデバイス＃Ａにより設定され、端末デバイス＃Ａに通知されても良く、本発明において特に限定しない。また、当該第２時間ドメインリソースユニットの開始位置と、当該第２時間ドメインリソース集合内の最後の一つの時間ドメインリソースユニットの末尾位置との間の間隔をミリ秒レベルにすることによって、フィードバック情報をベアリングするための時間ドメインリソースを、ダウンリンクデータをベアリングするための時間ドメインリソースのすぐ隣にすることができ、それによって、当該フィードバック情報をベアリングするための時間ドメインリソースがその他のネットワークデバイスに占用される可能性を低減することができ、それによってフィードバック情報の伝送の信頼性を向上させる。
【０１３１】
本発明によるフィードバック情報の伝送方法は、当該第１時間ドメインリソースユニットが、当該第１時間ドメインリソース集合内の時間ドメインにおける後ろのＴ個の時間ドメインリソースユニットに属する時に、当該第２時間ドメインリソースユニットを当該第２時間ドメインリソース集合の後ろに位置させることによって、フィードバック情報の伝送メカニズムを、ネットワークデバイスと端末デバイスとのアップ・ダウンリンク変換の処理遅延を満たすことができ、また、フィードバック情報をベアリングするための時間ドメインリソースを、ダウンリンクデータをベアリングするための時間ドメインリソースのすぐ隣にすることができ、それによって、フィードバック情報の伝送の信頼性を一層に向上させることができる。
【０１３２】
上記とおりに、時間ドメインリソースユニット＃Ｂを確定した後に、端末デバイス＃Ａは、フィードバック情報＃Ａを当該時間ドメインリソースユニット＃Ｂにベアリングし、ネットワークデバイス＃Ａに送信する。それによって、ネットワークデバイス＃Ａは、当該時間ドメインリソースユニット＃Ｂにおいて、当該フィードバック情報＃Ａを取得することができる。
【０１３３】
限定ではなく例として、本発明の実施例において、ネットワークデバイス＃Ａと端末デバイス＃Ａとは、下記の方式を採用して、時間ドメインリソースユニット＃Ｂを介してフィードバック情報＃Ａを伝送することができる。
【０１３４】
例えば、選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該端末デバイスは、当該第２時間ドメインリソースユニットにおいて、当該第１ダウンリンクデータに対するフィードバック情報を送信することは、
当該端末デバイスは、当該第２時間ドメインリソースユニットにおいて、当該ネットワークデバイスにＣ×Ｌビットのフィードバック情報を送信し、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０１３５】
具体的に、本発明の実施例において、限定ではなく例として、本発明の実施例において、一つの時間ドメインリソース集合に含まれることができる時間ドメインリソースユニットの最大の数（即ち、Ｌの値の一例）を規定しても良く、つまり、一つの（アップリンク）時間ドメインリソースユニットは、ベアリングできるフィードバック情報の最大の数（即ち、Ｌの値の一例）である。
【０１３６】
一般性を失うこともなく、時間ドメインにおける隣接の二つの時間ドメインリソース集合（以下、理解の便利上、時間ドメインリソース集合＃Ｃと時間ドメインリソース集合＃Ｄと記述する）、ここで、時間ドメインリソース集合＃Ｄが、時間ドメインにおいて時間ドメインリソース集合＃Ｃの後ろに位置し、時間ドメインリソース集合＃Ｄの後ろに位置する、当該時間ドメインリソース集合＃Ｄの最後の一つの時間ドメインリソースユニットの末尾位置との間隔がＫミリ秒である時間ドメインリソースユニットを、時間ドメインリソースユニット＃Ｄと記述し、即ち、当該時間ドメインリソースユニット＃Ｄは、時間ドメインリソース集合＃Ｄの後ろの１個目の時間ドメインリソースユニットである。
【０１３７】
その場合、本発明の実施形態において、当該時間ドメインリソースユニット＃Ｄに、Ｌ個のフィードバック情報をベアリングするためのビットが設定されており、ここで、当該Ｌ個のフィードバック情報は、Ｔ個のフィードバック情報＃Ｃ、Ｑ−Ｔ個のフィードバック情報＃Ｄ、及びＬ−Ｑ個のＮＡＣＫを含む。ここで、フィードバック情報＃Ｃが、時間ドメインリソース集合＃Ｃ内の後ろよりＴ個の時間ドメインリソースユニットにベアリングされるダウンリンクデータのフィードバック情報であり、フィードバック情報＃Ｄが、時間ドメインリソース集合＃Ｄの前のＱ−Ｔ個の時間ドメインリソースユニットにベアリングされるダウンリンクデータのフィードバック情報であり、ここで、Ｑが時間ドメインリソースユニット＃Ｄに含まれる時間ドメインリソースユニットの数である。
【０１３８】
本発明の実施例において、Ｌは、システムに規定された、予め設定された値（例えば、１０）であってもよく、即ち、Ｌ≧Ｑである。
【０１３９】
又は、ネットワークデバイスと端末デバイスとの双方は、各時間ドメインリソース集合に含まれる時間ドメインリソースユニットの数を把握することができるため、本発明の実施例において、Ｌは、実際状況に応じて任意に変更されることができ、例えば、Ｌ＝Ｑとする。
【０１４０】
本発明の実施例において、一つの時間ドメインリソースユニットにおいてＣ×Ｌ個のビットのフィードバック情報を伝送するように規定しても良く、即ち、各フィードバック情報はＣ個のビットを含み、Ｃが、一つの時間ドメインリソースユニットで伝送されるダウンリンクデータに対応する最大のフィードバック情報の数である。
【０１４１】
限定ではなく例として、例えば、シングルコードワード伝送モードと配置し、又はダブルコードワード伝送モードと配置し、ＡＣＫ／ＮＡＣＫの空間バンドリング（Ｓｐａｔｉａｌ  ｂｕｎｄｌｉｎｇ）を使用する場合、Ｃ＝１であり、
又は、ダブルコードワード伝送モードと配置し、ＡＣＫ／ＮＡＣＫの空間バンドリングを使用しない場合、Ｃ＝２である。
【０１４２】
また、本発明の実施例において、上記のＬ個のフィードバック情報の時間ドメインリソースユニット＃Ｄにおける並び順序は、各フィードバック情報に対応する時間ドメインリソースユニットの時間ドメインにおける順序に対応する。
【０１４３】
一般性を失うこともなく、仮にネットワークデバイス＃Ａに使用される隣接の二つの時間ドメインリソース集合を、時間ドメインリソース集合＃ａと時間ドメインリソース集合＃ａ＋１とし、ここで、時間ドメインにおいて、時間ドメインリソース集合＃ａが時間ドメインリソース集合＃ａ＋１の前に位置する。仮にＴ＝３とし、時間ドメインリソース集合＃ａは４個の時間ドメインリソースユニットを含み、時間ドメインリソース集合＃ａ＋１は５個の時間ドメインリソースユニットを含み、図７には、時間ドメインリソース集合＃ａ＋１の後ろに位置する、アップリンク情報をフィードバックするための時間ドメインリソースユニット＃ａ内の各ビットの構成方式の一例の概略図を示している。
【０１４４】
上記から分かるように、時間ドメインリソース集合＃ａ内の時間ドメインリソースユニット＃０にベアリングされるダウンリンクデータに対するフィードバック情報（即ち、図７におけるフィードバック情報＃０）は、時間ドメインリソース集合＃ａの後ろに位置する時間ドメインリソースユニット＃ｃにベアリングされる。
【０１４５】
また、時間ドメインリソース集合＃ａ内の時間ドメインリソースユニット＃１〜時間ドメインリソースユニット＃３にベアリングされるダウンリンクデータに対するフィードバック情報（即ち、図７におけるフィードバック情報＃１〜フィードバック情報＃３）、及び、時間ドメインリソース集合＃ａ＋１内の時間ドメインリソースユニット＃４と時間ドメインリソースユニット＃５とにベアリングされるダウンリンクデータに対するフィードバック情報（即ち、図７におけるフィードバック情報＃４とフィードバック情報＃５）のぞれぞれは、時間ドメインリソース集合＃ａ＋１の後ろに位置する時間ドメインリソースユニット＃ａにベアリングされる。
【０１４６】
この場合、時間ドメインリソースユニット＃ａにおいて、Ｃ×Ｌ個のビットをベアリングすることが可能であり、ここで、１個目のビット〜Ｃ×１個目のビットは、フィードバック情報＃１をベアリングするために用いられ、Ｃ×１＋１個目のビット〜Ｃ×２個目のビットは、フィードバック情報＃２をベアリングするために用いられ、Ｃ×２＋１個目のビット〜Ｃ×３個目のビットは、フィードバック情報＃３をベアリングするために用いられ、Ｃ×３＋１個目のビット〜Ｃ×４個目のビットは、フィードバック情報＃４をベアリングするために用いられ、Ｃ×４＋１個目のビット〜Ｃ×５個目のビットは、フィードバック情報＃５をベアリングするために用いられる。
【０１４７】
また、時間ドメインリソースユニット＃ａの残りのビットは、フィードバック情報のベアリングに用いられず、ＮＡＣＫ情報で充填されても良く、空き状態であっても良く、本発明において特に限定しない。
【０１４８】
なお、上記に列挙されている各フィードバック情報に対応するビットの確定方式は例示的な説明だけであり、本発明において特に限定せず、ネットワークデバイスと端末デバイスとに、同じビットで同じダウンリンクデータに対するフィードバック情報を伝送させれば良い。
【０１４９】
例えば、本発明の実施例において、時間ドメインリソース集合毎に少なくともＴ個の時間ドメインリソースユニットを含む場合、一般性を失うこともなく、仮に一つのフィードバック情報を伝送するための時間ドメインリソースユニット＃αが時間ドメインリソース集合＃αの後ろに位置し、しかも、時間ドメインリソース集合＃βが時間ドメインリソース集合＃αの前に位置する場合、時間ドメインリソースユニット＃α内の前のＣ×Ｔ個のビットは、時間ドメインリソース集合＃βの後ろのＴ個の時間ドメインリソースユニットにおけるダウンリンクデータのフィードバック情報を伝送するために用いられることが可能であり、時間ドメインリソースユニット＃α内のＣ×（Ｔ＋１）個のビットから、順次に、時間ドメインリソース集合＃αの、後ろのＴ個の時間ドメインリソースユニットの前に位置する時間ドメインリソースユニットにおけるダウンリンクデータのフィードバック情報を伝送するために用いられる。
【０１５０】
なお、上記の前記時間ドメインリソースユニット＃Ｂの位置は時間ドメインリソース集合＃Ｂの位置に基づいて確定される可能性があるため、そのため、端末デバイス＃Ａが、ブラインド検出などのような方式に基づいて、各時間ドメインリソース集合を検出する場合において、ネットワークデバイス＃Ａが、ある時間ドメインリソース集合（以下、理解、区別の便利上、第３時間ドメインリソース集合と記述する）を使用し、例えば、ネットワークデバイス＃Ａが当該第３時間ドメインリソース集合においてダウンリンクデータを送信するが、端末デバイス＃Ａは、当該第３時間ドメインリソース集合が検出されない場合があり得る。この場合において、ネットワークデバイス＃Ａと端末デバイス＃Ａとの確定された時間ドメインリソースユニット＃Ｂの位置が異なる可能性があり、それによって、フィードバック情報の誤り伝送を引き起こす可能性がある。
【０１５１】
それに対して、本発明の実施例において、ネットワークデバイス＃Ａの使用される各時間ドメインリソース集合の番号を指示するために、ネットワークデバイス＃Ａは、各時間ドメインリソース集合の番号を各時間ドメインリソース集合の時間ドメインにおける並び順序に対応するように、それの使用している各時間ドメインリソース集合にインデックス情報を追加しても良く、例えば、番号は、現状を順序付けて、所定値で昇順に逓増する方式によって確定されることが可能である。例えば、図８に示すように、仮にネットワークデバイス＃Ａに使用される三つの時間ドメインリソース集合を、時間ドメインリソース集合＃Ｘ−１（それの番号がＸ−１であっても良い）、時間ドメインリソース集合＃Ｘ（それの番号がＸであっても良い）、及び時間ドメインリソース集合＃Ｘ＋１（それの番号がＸ＋１出会っても良い）とする。ここで、端末デバイス＃Ａが検出したのは、時間ドメインリソース集合＃Ｘ−１、及び時間ドメインリソース集合＃Ｘ＋１であり、時間ドメインリソース集合＃Ｘが検出されない。
【０１５２】
その場合、上記に記載されているように、ネットワークデバイス＃Ａの判定過程において、番号がＸ−１である時間ドメインリソース集合（即ち、時間ドメインリソース集合＃Ｘ−１）内の後ろのＴ個の時間ドメインリソースユニットにベアリングされるダウンリンクデータに対するフィードバック情報（以下、理解、区別の便利上、フィードバック情報＃Ｘ−１と記述する）は、番号がＸである時間ドメインリソース集合（即ち、時間ドメインリソース集合＃Ｘ）の後ろの時間ドメインリソースユニットにベアリングされるべきである。
【０１５３】
しかし、端末デバイス＃Ａは時間ドメインリソース集合＃Ｘが検出されていないため、上記のように、端末デバイス＃Ａの判定過程において、番号がＸ−１である時間ドメインリソース集合（即ち、時間ドメインリソース集合＃Ｘ−１）内の後ろのＴ個の時間ドメインリソースユニットにベアリングされるダウンリンクデータに対するフィードバック情報は、当該端末デバイス＃Ａの検出した、時間ドメインリソース集合＃Ｘの後ろに位置する１個目の時間ドメインリソース集合（即ち、時間ドメインリソース集合＃Ｘ＋１）の後ろの１個目の時間ドメインリソースユニットにベアリングされるべきである。
【０１５４】
この場合において、端末デバイス＃Ａが、時間ドメインリソース集合＃Ｘ＋１からそれのインデックス情報を取得することが可能であり、当該時間ドメインリソース集合＃Ｘ＋１の番号をＸ＋１と確定することができる。また、端末デバイス＃Ａは、検出された前の一つの時間ドメインリソース集合（即ち、時間ドメインリソース集合＃Ｘ−１）の番号をＸ−１と確定することができる。
【０１５５】
上記のように、各時間ドメインリソース集合の番号と、各時間ドメインリソース集合とは、時間ドメインにおける並び順序において対応されているため、端末デバイス＃Ａは、当該時間ドメインリソース集合＃Ｘ＋１が、時間ドメインリソース集合＃Ｘ−１の後ろでネットワークデバイス＃Ａに使用される１個目の時間ドメインリソース集合ではないと確定することができ、それによって、時間ドメインリソース集合＃Ｘ＋１の後ろの時間ドメインリソースユニットにおけるフィードバック情報＃Ｘ−１の伝送を禁止することができる。
【０１５６】
また、この場合において、時間ドメインリソース集合＃Ｘ＋１の後ろの時間ドメインリソースユニットにおいて、時間ドメインリソース集合＃Ｘ＋１内の時間ドメインリソースユニット＃１と時間ドメインリソースユニット＃２とにヘアリングされるダウンリンクデータに対するフィードバック情報だけを伝送するために用いられる。
【０１５７】
また、端末デバイス＃Ａが時間ドメインリソース集合＃Ｘが検出されないため、時間ドメインリソース集合＃Ｘ＋１の後ろの時間ドメインリソースユニット内の前のＴ個のビットはＮＡＣＫであり、端末デバイス＃Ａが、時間ドメインリソース集合＃Ｘの後ろのＴ個の時間ドメインリソースユニットにおいて伝送されるダウンリンクデータを正しく受信していないことを示す。
【０１５８】
図９は、時間ドメインリソースユニット内の各ビットの構成方式の一例の概略図である。図９に示すように、時間ドメインリソース集合＃Ｙは、４個の時間ドメインリソースユニットを含み、即ち、時間ドメインリソースユニット＃ＢＹ，０、時間ドメインリソースユニット＃ＢＹ，１、時間ドメインリソースユニット＃ＢＹ，２、時間ドメインリソースユニット＃ＢＹ，３である。また、時間ドメインリソースユニット＃ＢＹ，０にベアリングされるダウンリンクデータのフィードバック情報をＢＹ，０と記述し、時間ドメインリソースユニット＃ＢＹ，１にベアリングされるダウンリンクデータのフィードバック情報をＢＹ，１と記述し、時間ドメインリソースユニット＃ＢＹ，２にベアリングされるダウンリンクデータのフィードバック情報をＢＹ，２と記述し、時間ドメインリソースユニット＃ＢＹ，３にベアリングされるダウンリンクデータのフィードバック情報をＢＹ，３に記述する。
【０１５９】
当該時間ドメインリソース集合＃Ｙと隣接する時間ドメインリソース集合＃Ｙ＋１は、５個の時間ドメインリソースユニットを含み、即ち、時間ドメインリソースユニット＃ＢＹ＋１，０、時間ドメインリソースユニット＃ＢＹ＋１，１、時間ドメインリソースユニット＃ＢＹ＋１，２、時間ドメインリソースユニット＃ＢＹ＋１，３、時間ドメインリソースユニット＃ＢＹ＋１，４である。また、時間ドメインリソースユニット＃ＢＹ＋１，０にベアリングされるダウンリンクデータのフィードバック情報をＢＹ＋１，０と記述し、時間ドメインリソースユニット＃ＢＹ＋１，１にベアリングされるダウンリンクデータのフィードバック情報をＢＹ＋１，１と記述し、時間ドメインリソースユニット＃ＢＹ＋１，２にベアリングされるダウンリンクデータのフィードバック情報をＢＹ＋１，２と記述し、時間ドメインリソースユニット＃ＢＹ＋１，３にベアリングされるダウンリンクデータのフィードバック情報をＢＹ＋１，３と記述し、時間ドメインリソースユニット＃ＢＹ＋１，４にベアリングされるダウンリンクデータのフィードバック情報をＢＹ＋１，４と記述する。
【０１６０】
ここで、時間ドメインリソース集合＃Ｙの番号がＹであり、時間ドメインリソース集合＃Ｙ＋１の番号がＹ＋１である。
【０１６１】
時間ドメインリソース集合＃Ｙ＋１の後ろに位置し、しかも時間ドメインリソース集合＃Ｙ＋１との間隔がＫ（つまり、時間ドメインリソース集合＃Ｙ＋１の後ろの１個目）である時間ドメインリソースユニットと時間ドメインリソースユニット＃Ｚと記述する。
【０１６２】
この場合において、Ｌ＝１０（即ち、一つの時間ドメインリソースユニットにベアリングされるフィードバック情報の数が１０である）、Ｃ＝１、Ｔ＝３である場合、図９に示すように、時間ドメインリソースユニット＃Ｚが１０個のビットを含み、当該時間ドメインリソースユニット＃Ｚ内の１個目のビットがＢＹ，１をベアリンクするために用いられ、当該時間ドメインリソースユニット＃Ｚ内の２個目のビットがＢＹ，２をベアリンクするために用いられ、当該時間ドメインリソースユニット＃Ｚ内の３個目のビットがＢＹ，３をベアリンクするために用いられ、当該時間ドメインリソースユニット＃Ｚ内の４個目のビットがＢＹ＋１，０をベアリンクするために用いられ、当該時間ドメインリソースユニット＃Ｚ内の５個目のビットがＢＹ＋１，１をベアリンクするために用いられ、当該時間ドメインリソースユニット＃Ｚ内の６個目のビット〜１０個目のビットがＮＡＣＫをベアリンクするために用いられる。
【０１６３】
即ち、本発明の実施例において、時間リソース集合＃Ｘ＋１の後ろの１個目の時間ドメインリソースユニットにおいてＣ×Ｌ個のビットのフィードバック情報（即ち、ＡＣＫ又はＮＡＣＫ）を送信し、ここで、前のＣ×Ｔ個のビット情報は、時間リソース集合＃Ｘ内の最後のＴ個の時間ドメインリソースユニットにベアリンクされるダウンリンクデータに対応するフィードバック情報である。
【０１６４】
また、本発明の実施例において、時間リソース集合＃Ｘの後ろの１個目の時間ドメインリソースユニットにおいて、Ｃ×Ｌビットのフィードバック情報を送信し、ここで、Ｃ×Ｔ＋１〜Ｃ×Ｑ個目のビット情報は、時間リソース集合＃Ｘ内の前のＱ−Ｔ個のダウンリンク時間ユニットにベアリンクされるダウンリンクデータに対応するフィードバック情報である。
【０１６５】
図１０は、時間ドメインリソースユニット内の各ビットの構成方式の別の一例の概略図である。図１０に示すように、時間ドメインリソース集合＃Ｙ−１は、４個の時間ドメインリソースユニットを含み、即ち、時間ドメインリソースユニット＃ＢＹ−１，０、時間ドメインリソースユニット＃ＢＹ−１，１、時間ドメインリソースユニット＃ＢＹ−１，２、時間ドメインリソースユニット＃ＢＹ−１，３である。また、時間ドメインリソースユニット＃ＢＹ−１，０にベアリンクされるダウンリンクデータのフィードバック情報をＢＹ−１，０と記述し、時間ドメインリソースユニット＃ＢＹ−１，１にベアリンクされるダウンリンクデータのフィードバック情報をＢＹ−１，１と記述し、時間ドメインリソースユニット＃ＢＹ−１，２にベアリンクされるダウンリンクデータのフィードバック情報をＢＹ−１，２と記述し、時間ドメインリソースユニット＃ＢＹ−１，３にベアリンクされるダウンリンクデータのフィードバック情報をＢＹ−１，３と記述する。
【０１６６】
当該時間ドメインリソース集合＃Ｙ−１と隣接する時間ドメインリソース集合＃Ｙは、４個の時間ドメインリソースユニットを含み、即ち、時間ドメインリソースユニット＃ＢＹ，０、時間ドメインリソースユニット＃ＢＹ，１、時間ドメインリソースユニット＃ＢＹ，２、時間ドメインリソースユニット＃ＢＹ，３を含む。また、時間ドメインリソースユニット＃ＢＹ，０にベアリンクされるダウンリンクデータのフィードバック情報をＢＹ，０と記述し、時間ドメインリソースユニット＃ＢＹ，１にベアリンクされるダウンリンクデータのフィードバック情報をＢＹ，１と記述し、時間ドメインリソースユニット＃ＢＹ，２にベアリンクされるダウンリンクデータのフィードバック情報をＢＹ，２と記述し、時間ドメインリソースユニット＃ＢＹ，３にベアリンクされるダウンリンクデータのフィードバック情報をＢＹ，３と記述する。
【０１６７】
当該時間ドメインリソース集合＃Ｙと隣接する時間ドメインリソース集合＃Ｙ＋１は、５個の時間ドメインリソースユニットを含み、即ち、時間ドメインリソースユニット＃ＢＹ＋１，０、時間ドメインリソースユニット＃ＢＹ＋１，１、時間ドメインリソースユニット＃ＢＹ＋１，２、時間ドメインリソースユニット＃ＢＹ＋１，３、時間ドメインリソースユニット＃ＢＹ＋１，４である。また、時間ドメインリソースユニット＃ＢＹ＋１，０にベアリンクされるダウンリンクデータのフィードバック情報をＢＹ＋１，０と記述し、時間ドメインリソースユニット＃ＢＹ＋１，１にベアリンクされるダウンリンクデータのフィードバック情報をＢＹ＋１，１と記述し、時間ドメインリソースユニット＃ＢＹ＋１，２にベアリンクされるダウンリンクデータのフィードバック情報をＢＹ＋１，２と記述し、時間ドメインリソースユニット＃ＢＹ＋１，３にベアリンクされるダウンリンクデータのフィードバック情報をＢＹ＋１，３と記述し、時間ドメインリソースユニット＃ＢＹ＋１，４にベアリンクされるダウンリンクデータのフィードバック情報をＢＹ＋１，４と記述する。
【０１６８】
時間ドメインリソース集合＃Ｙ＋１の後ろに位置し、時間ドメインリソース集合＃Ｙ＋１との間隔がＫ（つまり、時間ドメインリソース集合＃Ｙ＋１の後ろの１個目の）である時間ドメインリソースユニットを時間ドメインリソースユニット＃Ｚと記述する。
【０１６９】
ここで、時間ドメインリソース集合＃Ｙ−１の番号がＹ−１であり、時間ドメインリソース集合＃Ｙの番号がＹであり、時間ドメインリソース集合＃Ｙ＋１の番号がＹ＋１である。
【０１７０】
この場合、Ｌ＝１０（即ち、一つの時間ドメインリソースユニットにベアリンクされるフィードバック情報の数が１０である）、Ｃ＝１、Ｔ＝３である場合、図１０に示すように、
端末デバイスが当該時間ドメインリソース集合＃Ｙが検出されない場合、つまり、端末デバイスの検出した、時間ドメインリソース集合＃Ｙ−１の後ろの１個目に位置する時間ドメインリソース集合が時間ドメインリソース集合＃Ｙ＋１である場合、当該時間ドメインリソース集合＃Ｙ＋１の番号（即ち、Ｙ＋１）と時間ドメインリソース集合＃Ｙの番号（即ち、Ｙ）との関係は、当該時間ドメインリソース集合＃Ｙ＋１と当該時間ドメインリソース集合＃Ｙとの時間ドメイン並び順序と合致しないため、端末デバイスは、番号がＹである時間ドメインリソース集合（即ち、時間ドメインリソース集合＃Ｙ）が検出されないことを確定することができ、それによって、端末デバイスは、ＢＹ−１，１、ＢＹ−１，２、ＢＹ−１，３が時間ドメインリソースユニット＃Ｚにベアリンクされることを確定することができる。
【０１７１】
また、Ｔ＝３であるため、即ち、端末デバイスが検出されない時間ドメインリソース集合＃Ｙに、少なくとも３個の時間ドメインリソースユニット＃Ｚでフィードバックする必要があるダウンリンクデータ（即ち、時間ドメインリソースユニット＃ＢＹ，１、時間ドメインリソースユニット＃ＢＹ，２、時間ドメインリソースユニット＃ＢＹ，３において伝送されるダウンリンクデータ）、を含むことを確定することができており、それに対して、端末デバイスが当該ダウンリンクデータを受信していないため、ＢＹ，１〜  ＢＹ，３がＮＡＣＫである。
【０１７２】
図９に示すように、時間ドメインリソースユニット＃Ｚは、１０個のビットを含み、当該時間ドメインリソースユニット＃Ｚ内の１個目のビットがＢＹ，１（即ち、ＮＡＣＫ）をベアリンクするために用いられ、当該時間ドメインリソースユニット＃Ｚ内の２個目のビットは、ＢＹ，２（即ち、ＮＡＣＫ）をベアリンクするために用いられ、当該時間ドメインリソースユニット＃Ｚ内の３個目のビットは、ＢＹ，３（即ち、ＮＡＣＫ）をベアリンクするために用いられ、当該時間ドメインリソースユニット＃Ｚ内の４個目のビットは、ＢＹ＋１，０をベアリンクするために用いられ、当該時間ドメインリソースユニット＃Ｚ内の５個目のビットは、ＢＹ＋１，１をベアリンクするために用いられ、当該時間ドメインリソースユニット＃Ｚ内の６個目のビット〜１０個目のビットは、ＮＡＣＫをベアリンクするために用いられる。
【０１７３】
また、本発明の実施例において、例えば、Ｌ＝４である場合、システムにおけるサポートする最大のダウンリンク合成型自動再送要求（ＨＡＲＱ：Ｈｙｂｒｉｄ  Ａｕｔｏｍａｔｉｃ  Ｒｅｐｅａｔ  ｒｅＱｕｅｓｔ）のプロセスの数は例えば、１０であっても良い。
【０１７４】
さらに、例えば、本発明の実施例において、Ｌ＝１０である場合、システムにおけるサポートする最大のＨＡＲＱのプロセスの数は、例えば、１６であっても良い。
【０１７５】
本発明の実施例によるフィードバック情報の伝送方法は、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０１７６】
図１１には、ネットワークデバイスを視点として説明している本発明の実施例におけるフィードバック情報の伝送方法３００の概略的なフローチャートを示している。図１１に示すように、当該方法３００は、Ｓ３１０〜Ｓ３３０を含む。
【０１７７】
Ｓ３１０において、ネットワークデバイスは、少なくとも一つの時間ドメインリソース集合を使用してダウンリンクデータを送信し、当該少なくとも一つの時間ドメインリソース集合内のそれぞれの時間ドメインリソース集合が、一つ又は複数の連続した時間ドメインリソースユニットを含み、当該ダウンリンクデータは、端末デバイスに送信される第１ダウンリンクデータを含み、当該第１ダウンリンクデータが、当該少なくとも一つの時間ドメインリソース集合内の第１時間ドメインリソース集合内の第１時間ドメインリソースユニットにおいて伝送される。
【０１７８】
Ｓ３２０において、当該ネットワークデバイスは、当該第１時間ドメインリソースユニットの当該第１時間ドメインリソース集合における位置に基づいて、第２時間ドメインリソースユニットを確定する。
【０１７９】
Ｓ３３０において、当該ネットワークデバイスは、当該第２時間ドメインリソースユニットにおいて、当該第１ダウンリンクデータに対するフィードバック情報を受信する。
【０１８０】
選択肢として、時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる。
【０１８１】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該ネットワークデバイスは、当該第１時間ドメインリソースユニットの当該第１時間ドメインリソース集合における位置に基づいて、第２時間ドメインリソースユニットを確定することは、
当該第１時間ドメインリソースユニットが、当該第１時間ドメインリソース集合内の時間ドメインにおける前のＱ−Ｔ個の時間ドメインリソースユニットに属する場合、当該ネットワークデバイスは、当該第２時間ドメインリソースユニットが当該第１時間ドメインリソース集合の後ろに位置し、当該第２時間ドメインリソースユニットの開始位置と、当該第１時間ドメインリソース集合内の最後の一つの時間ドメインリソースユニットの末尾位置との間の間隔がＡミリ秒であることを確定することを含み、ここで、Ａが予め設定された値であり、Ａ≧０である。
【０１８２】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該ネットワークデバイスは、当該第１時間ドメインリソースユニットの当該第１時間ドメインリソース集合における位置に基づいて、第２時間ドメインリソースユニットを確定することは、
第１時間ドメインリソースユニットが、当該第１時間ドメインリソース集合内の時間ドメインにおける後ろのＴ個の時間ドメインリソースユニットに属する場合、当該ネットワークデバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定することを含み、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０１８３】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該ネットワークデバイスは、当該第２時間ドメインリソースユニットにおいて、当該第１ダウンリンクデータに対するフィードバック情報を受信することは、
当該ネットワークデバイスは、当該第２時間ドメインリソースユニットにおいて、当該端末デバイスより送信されたＣ×Ｌビットのフィードバック情報を受信することを含み、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０１８４】
選択肢として、当該ネットワークデバイスは、当該第２時間ドメインリソースユニットにおいて、当該第１ダウンリンクデータに対するフィードバック情報を受信することは、
当該ネットワークデバイスは、当該第１時間ドメインリソースユニットの第１時間ドメインリソース集合における位置に基づいて、当該第２時間ドメインリソースユニットから、フィードバック情報を伝送するための第１ビットを確定することと、
当該ネットワークデバイスは、当該第１ビットにベアリングされる情報を当該第１ダウンリンクデータに対するフィードバック情報とすることと、
を含む。
【０１８５】
選択肢として、当該方法は、
当該ネットワークデバイスは、少なくとも一つの集合指示情報を送信することをさらに含み、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【０１８６】
当該方法３００におけるネットワークデバイスの動作は、方法２００におけるネットワークデバイスの動作と類似しており、当該方法３００における端末デバイスの動作は、上記の方法２００における端末デバイスの動作と類似しており、ここで、重複を避けるため、詳細説明を省略する。
【０１８７】
本発明の実施例によるフィードバック情報の伝送方法は、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０１８８】
以上において、図１〜図１１を結合して本発明の実施例によるフィードバック情報の伝送方法を詳しく説明しており、以下において、図１２と図１３を結合して、本発明の実施例によるフィードバック情報の伝送装置を詳しく説明する。
【０１８９】
図１２には、本発明の実施例によるフィードバック情報の伝送装置４００の概略的なブロック図を示しており、図１２に示すように、当該装置４００は、受信ユニット４１０、確定ユニット４２０、送信ユニット４３０を含む。
【０１９０】
受信ユニット４１０は、ネットワークデバイスより送信されたダウンリンクデータ内の第１ダウンリンクデータを受信するように構成され、ここで、当該ダウンリンクデータが、当該ネットワークデバイスが少なくとも一つの時間ドメインリソース集合を使用して送信されたものであり、当該少なくとも一つの時間ドメインリソース集合内のそれぞれの時間ドメインリソース集合が、一つ又は複数の連続した時間ドメインリソースユニットを含み、当該第１ダウンリンクデータが、当該少なくとも一つの時間ドメインリソース集合内の第１時間ドメインリソース集合内の第１時間ドメインリソースユニットにおいて伝送される。
【０１９１】
確定ユニット４２０は、当該第１時間ドメインリソースユニットの当該第１時間ドメインリソース集合における位置に基づいて、第２時間ドメインリソースユニットを確定するように構成される。
【０１９２】
送信ユニット４３０は、当該第２時間ドメインリソースユニットにおいて、当該第１ダウンリンクデータに対するフィードバック情報を送信するように構成される。
【０１９３】
選択肢として、時間ドメインリソース集合毎に含まれる複数の連続した時間ドメインリソースユニットにおいて、各時間ドメインリソースユニットの時間長が同じであり、又は、
時間ドメインリソース集合毎に含まれる複数の連続した時間ドメインリソースユニットにおいて、少なくとも二つの時間ドメインリソースユニットの時間長が異なる。
【０１９４】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該確定ユニットは、具体的に、当該第１時間ドメインリソースユニットが、当該第１時間ドメインリソース集合内の時間ドメインにおける前のＱ−Ｔ個の時間ドメインリソースユニットに属する場合、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＡミリ秒であることを確定するように構成され、ここで、Ａが予め設定された値であり、Ａ≧０である。
【０１９５】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該確定ユニットは、具体的に、第１時間ドメインリソースユニットが、当該第１時間ドメインリソース集合内の時間ドメインにおける後ろのＴ個の時間ドメインリソースユニットに属する場合、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定するように構成され、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０１９６】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該送信ユニットは、具体的に、当該第２時間ドメインリソースユニットにおいて、当該ネットワークデバイスにＣ×Ｌビットのフィードバック情報を送信するように構成され、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０１９７】
選択肢として、当該確定ユニットは、当該第１時間ドメインリソースユニットの第１時間ドメインリソース集合における位置に基づいて、当該第２時間ドメインリソースユニットから、フィードバック情報を伝送するための第１ビットを確定するようにさらに構成され、
当該送信ユニットは、具体的に、当該第１ダウンリンクデータに対するフィードバック情報を当該第１ビットにベアリンクするように構成される。
【０１９８】
選択肢として、当該受信ユニットは、少なくとも一つの集合指示情報を受信するようにさらに構成され、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【０１９９】
本発明の実施例によるフィードバック情報の伝送装置４００は、本発明の実施例における方法の端末デバイスに対応することができ、また、フィードバック情報の伝送装置４００内の各ユニット、モジュール、及び上記のその他の動作及び／又は機能のそれぞれは、図２の方法２００の対応するフローを実現するためであり、簡潔のため、ここで省略する。
【０２００】
本発明の実施例によるフィードバック情報の伝送装置は、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０２０１】
図１３は、本発明の実施例におけるフィードバック情報の伝送装置５００の別の一例の概略的なブロック図である。図１３に示すように、当該装置５００は、送信ユニット５１０、確定ユニット５２０、及び受信ユニット５３０を含む。
【０２０２】
送信ユニット５１０は、少なくとも一つの時間ドメインリソース集合を使用してダウンリンクデータを送信するように構成され、当該少なくとも一つの時間ドメインリソース集合内のそれぞれの時間ドメインリソース集合が、一つ又は複数の連続した時間ドメインリソースユニットを含み、当該ダウンリンクデータは、端末デバイスに送信される第１ダウンリンクデータを含み、当該第１ダウンリンクデータが、当該少なくとも一つの時間ドメインリソース集合内の第１時間ドメインリソース集合内の第１時間ドメインリソースユニットにおいて伝送される。
【０２０３】
確定ユニット５２０は、当該第１時間ドメインリソースユニットの当該第１時間ドメインリソース集合における位置に基づいて、第２時間ドメインリソースユニットを確定するように構成される。
【０２０４】
受信ユニット５３０は、当該第２時間ドメインリソースユニットにおいて、当該第１ダウンリンクデータに対するフィードバック情報を受信するように構成される。
【０２０５】
選択肢として、時間ドメインリソース集合毎に含まれる複数の連続した時間ドメインリソースユニットにおいて、各時間ドメインリソースユニットの時間長が同じであり、又は、
時間ドメインリソース集合毎に含まれる複数の連続した時間ドメインリソースユニットにおいて、少なくとも二つの時間ドメインリソースユニットの時間長が異なる。
【０２０６】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該確定ユニットは、具体的に、当該第１時間ドメインリソースユニットが、当該第１時間ドメインリソース集合内の時間ドメインにおける前のＱ−Ｔ個の時間ドメインリソースユニットに属する場合、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＡミリ秒であることを確定するように構成され、ここで、Ａが予め設定された値であり、Ａ≧０である。
【０２０７】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該確定ユニットは、具体的に、第１時間ドメインリソースユニットが、当該第１時間ドメインリソース集合内の時間ドメインにおける後ろのＴ個の時間ドメインリソースユニットに属する場合、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定するように構成され、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０２０８】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該受信ユニットは、具体的に、当該第２時間ドメインリソースユニットにおいて、当該端末デバイスより送信されたＣ×Ｌビットのフィードバック情報を受信するように構成され、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０２０９】
選択肢として、当該確定ユニットは、当該第１時間ドメインリソースユニットの第１時間ドメインリソース集合における位置に基づいて、当該第２時間ドメインリソースユニットから、フィードバック情報を伝送するための第１ビットを確定し、当該受信ユニットで受信された当該第１ビットにベアリングされる情報を当該第１ダウンリンクデータに対するフィードバック情報とするように構成される。
【０２１０】
選択肢として、当該送信ユニットは、少なくとも一つの集合指示情報を送信するようにさらに構成され、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【０２１１】
本発明の実施例によるフィードバック情報の伝送装置５００は、本発明の実施例における方法のネットワークデバイスに対応することができ、また、フィードバック情報の伝送装置５００内の各ユニット、モジュール、及び上記のその他の動作及び／又は機能のそれぞれは、図１１の方法３００の対応するフローを実現するためであり、簡潔のため、ここで省略する。
【０２１２】
本発明の実施例によるフィードバック情報の伝送装置、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０２１３】
以上において、図１〜図１１を結合して本発明の実施例によるフィードバック情報の伝送方法を詳しく説明しており、以下において、図１４と図１５を結合して本発明の実施例によるフィードバック情報伝送デバイスを詳しく説明する。
【０２１４】
図１４は、本発明の実施例によるフィードバック情報伝送デバイス６００の概略的なブロック図を示しており、図１４に示すように、当該デバイス６００は、プロセッサ６１０と送受信装置６２０と含み、プロセッサ６１０が送受信装置６２０に接続されており、選択肢として、当該デバイス６００は、記憶装置６３０をさらに含み、記憶装置６３０がプロセッサ６１０に接続されており、さらに、選択肢として、当該デバイス６００はバスシステム６４０を含む。ここで、プロセッサ６１０、記憶装置６３０、及び送受信装置６２０は、バスシステム６４０によって接続されることができ、当該記憶装置６３０は、命令を記憶するように構成され、当該プロセッサ６１０は、送受信装置６２０での情報又は信号を送信するように制御することができるように、当該記憶装置６３０に記憶される命令を実行するように構成される。
【０２１５】
当該プロセッサ６１０は、ネットワークデバイスより送信されたダウンリンクデータ内の第１ダウンリンクデータを受信するように当該送受信装置６２０を制御するように構成され、ここで、当該ダウンリンクデータが、当該ネットワークデバイスが少なくとも一つの時間ドメインリソース集合を使用して送信されたものであり、当該少なくとも一つの時間ドメインリソース集合内のそれぞれの時間ドメインリソース集合が、一つ又は複数の連続した時間ドメインリソースユニットを含み、当該第１ダウンリンクデータが、当該少なくとも一つの時間ドメインリソース集合内の第１時間ドメインリソース集合内の第１時間ドメインリソースユニットにおいて伝送される。
【０２１６】
当該プロセッサ６１０は、当該第１時間ドメインリソースユニットの当該第１時間ドメインリソース集合における位置に基づいて、第２時間ドメインリソースユニットを確定するように構成される。
【０２１７】
当該プロセッサ６１０は、当該第２時間ドメインリソースユニットにおいて、当該第１ダウンリンクデータに対するフィードバック情報を送信するように当該送受信装置６２０を制御するように構成される。
【０２１８】
選択肢として、時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる。
【０２１９】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また
当該プロセッサ６１０は、当該第１時間ドメインリソースユニットが、当該第１時間ドメインリソース集合内の時間ドメインにおける前のＱ−Ｔ個の時間ドメインリソースユニットに属する場合、当該端末デバイスは、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＡミリ秒であることを確定するように構成され、ここで、Ａが予め設定された値であり、Ａ≧０である。
【０２２０】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該プロセッサ６１０は、第１時間ドメインリソースユニットが、当該第１時間ドメインリソース集合内の時間ドメインにおける後ろのＴ個の時間ドメインリソースユニットに属する場合、当該端末デバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定するように構成され、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０２２１】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
当該プロセッサ６１０は、当該第２時間ドメインリソースユニットにおいて、当該ネットワークデバイスにＣ×Ｌビットのフィードバック情報を送信するように当該送受信装置６２０を制御するように構成され、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０２２２】
選択肢として、当該プロセッサ６１０は、当該第１時間ドメインリソースユニットの第１時間ドメインリソース集合における位置に基づいて、当該第２時間ドメインリソースユニットから、フィードバック情報を伝送するための第１ビットを確定するように構成される。
【０２２３】
当該プロセッサ６１０は、当該第１ダウンリンクデータに対するフィードバック情報を当該第１ビットにベアリンクするように当該送受信装置６２０を制御するように構成される。
【０２２４】
選択肢として、当該プロセッサ６１０は、少なくとも一つの集合指示情報を受信するように当該送受信装置６２０を制御するように構成され、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【０２２５】
本発明の実施例によるフィードバック情報伝送デバイス５００は、本発明の実施例における方法の端末デバイスに対応することができ、また、フィードバック情報伝送デバイス５００内の各ユニット、モジュール、及び上記のその他の動作及び／又は機能のそれぞれは、図２の方法２００の対応するフローを実現するためであり、簡潔のため、ここで省略する。
【０２２６】
本発明の実施例によるフィードバック情報伝送デバイスは、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０２２７】
図１５は、本発明の実施例におけるフィードバック情報伝送デバイス７００の別の一例の概略的なブロック図である。図１５に示すように、当該デバイス７００は、プロセッサ７１０と送受信装置７２０とを含み、プロセッサ７１０が送受信装置７２０に接続され、選択肢として、当該デバイス７００は、記憶装置７３０をさらに含み、記憶装置７３０がプロセッサ７１０に接続され、さらに、選択肢として、当該デバイス７００は、バスシステム７４０を含む。ここで、プロセッサ７１０、記憶装置７３０、及び送受信装置７２０は、バスシステム７４０によって接続され、当該記憶装置７３０は、命令を記憶するように構成され、当該プロセッサ７１０は、情報又は信号を送信するように送受信装置７２０を制御することができるように、当該記憶装置７３０に記憶される命令を実行するように構成される。
【０２２８】
プロセッサ７１０は、少なくとも一つの時間ドメインリソース集合を使用してダウンリンクデータを送信するように送受信装置７２０を制御するように構成され、当該少なくとも一つの時間ドメインリソース集合内のそれぞれの時間ドメインリソース集合が、一つ又は複数の連続した時間ドメインリソースユニットを含み、当該ダウンリンクデータは、端末デバイスに送信される第１ダウンリンクデータを含み、当該第１ダウンリンクデータが、当該少なくとも一つの時間ドメインリソース集合内の第１時間ドメインリソース集合内の第１時間ドメインリソースユニットにおいて伝送される。
【０２２９】
プロセッサ７１０は、当該第１時間ドメインリソースユニットの当該第１時間ドメインリソース集合における位置に基づいて、第２時間ドメインリソースユニットを確定するように構成される。
【０２３０】
プロセッサ７１０は、当該第２時間ドメインリソースユニットにおいて、当該第１ダウンリンクデータに対するフィードバック情報を受信するように送受信装置７２０を制御するように構成される。
【０２３１】
選択肢として、時間ドメインリソース集合毎に含まれる複数の連続した時間ドメインリソースユニットにおいて、各時間ドメインリソースユニットの時間長が同じであり、又は
時間ドメインリソース集合毎に含まれる複数の連続した時間ドメインリソースユニットにおいて、少なくとも二つの時間ドメインリソースユニットの時間長が異なる。
【０２３２】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
プロセッサ７１０は、当該第１時間ドメインリソースユニットが、当該第１時間ドメインリソース集合内の時間ドメインにおける前のＱ−Ｔ個の時間ドメインリソースユニットに属する場合、当該ネットワークデバイスは、当該第２時間ドメインリソースユニットが当該第１時間ドメインリソース集合の後ろに位置し、しかも当該第２時間ドメインリソースユニットの開始位置と、当該第１時間ドメインリソース集合内の最後の一つの時間ドメインリソースユニットの末尾位置との間の間隔がＡミリ秒であることを確定するように構成され、ここで、Ａが予め設定された値であり、Ａ≧０である。
【０２３３】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また
プロセッサ７１０は、第１時間ドメインリソースユニットが、当該第１時間ドメインリソース集合内の時間ドメインにおける後ろのＴ個の時間ドメインリソースユニットに属する場合、当該ネットワークデバイスは、当該第２時間ドメインリソースユニットが第２時間ドメインリソース集合の後ろに位置し、しかも当該第２時間ドメインリソースユニットの開始位置と、当該第２時間ドメインリソース集合内の最後の一つの時間ドメインリソースユニットの末尾位置との間の間隔がＡミリ秒であることを確定するように構成され、ここで、Ａが予め設定された値であり、Ａ≧０であり、当該第２時間ドメインリソース集合が、時間ドメインにおいて当該第１時間ドメインリソース集合の後ろに位置する１個目の時間ドメインリソース集合である。
【０２３４】
選択肢として、当該第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また
プロセッサ７１０は、当該第２時間ドメインリソースユニットにおいて、当該端末デバイスより送信されたＣ×Ｌビットのフィードバック情報を受信するように送受信装置７２０を制御するように構成され、当該第１ダウンリンクデータのフィードバック情報が当該Ｃ×Ｌビットのフィードバック情報に属し、ここで、Ｃが、一つの時間ドメインリソースユニットで伝送されるダウンリンクデータに対応する最大のフィードバック情報の数であり、Ｌが正の整数であり、しかもＬ≧Ｑである。
【０２３５】
選択肢として、プロセッサ７１０は、当該第１時間ドメインリソースユニットの第１時間ドメインリソース集合における位置に基づいて、当該第２時間ドメインリソースユニットから、フィードバック情報を伝送するための第１ビットを確定するように構成される。
【０２３６】
プロセッサ７１０は、当該第１ビットにベアリングされる情報を当該第１ダウンリンクデータに対するフィードバック情報とするように送受信装置７２０を制御するように構成される。
【０２３７】
選択肢として、プロセッサ７１０は、少なくとも一つの集合指示情報を送信するように送受信装置７２０を制御するように構成され、少なくとも一つの時間ドメインリソース集合と当該少なくとも一つの集合指示情報とが、一対一に対応し、各集合指示情報が、対応する時間ドメインリソース集合のインデックス情報を指示するために用いられる。
【０２３８】
本発明の実施例によるフィードバック情報伝送デバイス７００は、本発明の実施例における方法のネットワークデバイス、また、フィードバック情報伝送デバイス７００内の各ユニット、モジュール、及び上記のその他の動作及び／又は機能のそれぞれは、図１１の方法３００の対応するフローを実現するためであり、簡潔のため、ここで省略する。
【０２３９】
本発明の実施例によるフィードバック情報伝送デバイス、システムにより提供された時間ドメインリソースを複数の時間ドメインリソースユニットに分けて、少なくとも一つの時間ドメインリソース集合内のそれぞれの時間ドメインリソース集合に、一つ又は複数の連続した時間ドメインリソースユニットを含ませて、ネットワークデバイスは、第１時間ドメインリソース集合内の第１時間ドメインリソースユニットによって、端末デバイスに第１ダウンリンクデータを伝送し、端末デバイスとネットワークデバイスとは、当該第１時間ドメインリソースユニットの当該第１時間ドメインリソース集合における位置によって、第２時間ドメインリソースユニットを確定し、当該第２時間ドメインリソースユニットにおいてフィードバック情報を伝送し、それによって、フィードバック情報の伝送がシステムの規定に拘らず、フィードバック情報の伝送の柔軟性と信頼性を向上させることができる。
【０２４０】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２４１】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０２４２】
なお、本発明の実施例において、各時間ドメインリソースユニットが時間ドメインリソース集合における順序付けは、時間ドメインリソースユニットを前提にして計算されており、例えば、一つの時間ドメインリソースユニットとして不完全の時間ドメインリソースユニット（即ち、時間長が完全の時間ユニットの長さより短い）であっても、それの一つの時間ドメインリソース集合における位置を確定する時に、依然として一つの統計メンバとして見なし、例えば、当該不完全の時間ドメインリソースユニットが、時間ドメインにおいて当該時間ドメインリソース集合内の各時間ドメインリソースユニットの前に並んでいる場合、それが当該時間ドメインリソース集合内の１個目の時間ドメインリソースユニットとして確定することができる。
【０２４３】
本発明の各実施例において、上記の各過程の番号は実施の前後順序と意味せず、各過程の実施順序は、その機能と自身のロジックによって確定されるべきであり、本発明の実施例の実施過程を制限するものになるわけではないことを、理解すべきである。
【０２４４】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２４５】
当業者は、説明の便利と簡潔上、上記に記載されているシステム、装置及びユニットの具体的な動作については、上記の方法実施例の対応されているフローを参照することができ、ここでそれ以上述べない。
【０２４６】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２４７】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２４８】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２４９】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２５０】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019517162.tif 000003
【図２】
2019517162.tif 000004
【図３】
2019517162.tif 000005
【図４】
2019517162.tif 000006
【図５】
2019517162.tif 000007
【図６】
2019517162.tif 000008
【図７】
2019517162.tif 000009
【図８】
2019517162.tif 000010
【図９】
2019517162.tif 000011
【図１０】
2019517162.tif 000012
【図１１】
2019517162.tif 000013
【図１２】
2019517162.tif 000014
【図１３】
2019517162.tif 000015
【図１４】
2019517162.tif 000016
【図１５】
2019517162.tif 000017
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
フィードバック情報の伝送方法であって、
端末デバイスは、ネットワークデバイスより送信されたダウンリンクデータ内の第１ダウンリンクデータを受信することと、
前記端末デバイスは、第１時間ドメインリソースユニットの第１時間ドメインリソース集合における位置に基づいて、第２時間ドメインリソースユニットを確定することと、
前記端末デバイスは、前記第２時間ドメインリソースユニットにおいて、前記第１ダウンリンクデータに対するフィードバック情報を送信することと、
を含み、ここで、前記ダウンリンクデータが、前記ネットワークデバイスが少なくとも一つの時間ドメインリソース集合を使用して送信されたものであり、前記少なくとも一つの時間ドメインリソース集合内のそれぞれの時間ドメインリソース集合が、一つ又は複数の連続した時間ドメインリソースユニットを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送方法。
【請求項２】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、第１時間ドメインリソースユニットの第１時間ドメインリソース集合における位置に基づいて、第２時間ドメインリソースユニットを確定することは、
前記第１時間ドメインリソースユニットが、前記第１時間ドメインリソース集合内の時間ドメインにおける前のＱ−Ｔ個の時間ドメインリソースユニットに属する場合、前記端末デバイスは、前記第２時間ドメインリソースユニットが前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０である、
ことを特徴とする請求項１に記載のフィードバック情報の伝送方法。
【請求項３】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、第１時間ドメインリソースユニットの第１時間ドメインリソース集合における位置に基づいて、第２時間ドメインリソースユニットを確定することは、
第１時間ドメインリソースユニットが前記第１時間ドメインリソース集合内の時間ドメインにおける後ろのＴ個の時間ドメインリソースユニットに属する場合、前記端末デバイスは、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定すること、
を含み、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項１に記載のフィードバック情報の伝送方法。
【請求項４】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記端末デバイスが、前記第２時間ドメインリソースユニットにおいて、前記第１ダウンリンクデータに対するフィードバック情報を送信することは、
前記端末デバイスは、前記第２時間ドメインリソースユニットにおいて、前記ネットワークデバイスにＣ×Ｌビットのフィードバック情報を送信すること、
を含み、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項１乃至３のいずれか１項に記載のフィードバック情報の伝送方法。
【請求項５】
前記端末デバイスが、前記第２時間ドメインリソースユニットにおいて、前記第１ダウンリンクデータに対するフィードバック情報を送信することは、
前記端末デバイスは、前記第１時間ドメインリソースユニットの第１時間ドメインリソース集合における位置に基づいて、前記第２時間ドメインリソースユニットから、フィードバック情報を伝送するための第１ビットを確定することと、
前記端末デバイスは、前記第１ダウンリンクデータに対するフィードバック情報を前記第１ビットにベアリングすることと、
を含む、
ことを特徴とする請求項１乃至４のいずれか１項に記載のフィードバック情報の伝送方法。
【請求項６】
前記端末デバイスは、少なくとも一つの集合指示情報を受信することをさらに含み、
少なくとも一つの時間ドメインリソース集合と、前記少なくとも一つの集合指示情報とは、一対一に対応し、各集合指示情報が、対応する時間ドメインリソース集合のインデックス情報を指示するために用いられる、
ことを特徴とする請求項１乃至５のいずれか１項に記載のフィードバック情報の伝送方法。
【請求項７】
フィードバック情報の伝送方法であって、
ネットワークデバイスは、少なくとも一つの時間ドメインリソース集合を使用して、ダウンリンクデータを送信することと、
前記ネットワークデバイスは、第１時間ドメインリソースユニットの第１時間ドメインリソース集合における位置に基づいて、第２時間ドメインリソースユニットを確定することと、
前記ネットワークデバイスは、前記第２時間ドメインリソースユニットにおいて、前記第１ダウンリンクデータに対するフィードバック情報を受信することと、
を含み、
前記少なくとも一つの時間ドメインリソース集合内のそれぞれの時間ドメインリソース集合が、一つ又は複数の連続した時間ドメインリソースユニットを含み、前記ダウンリンクデータは、端末デバイスに送信される第１ダウンリンクデータを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送方法。
【請求項８】
フィードバック情報の伝送装置であって、
ネットワークデバイスより送信されたダウンリンクデータ内の第１ダウンリンクデータを受信するように構成される受信ユニットと、
第１時間ドメインリソースユニットの第１時間ドメインリソース集合における位置に基づいて、第２時間ドメインリソースユニットを確定するように構成される確定ユニットと、
前記第２時間ドメインリソースユニットにおいて、前記第１ダウンリンクデータに対するフィードバック情報を送信するように構成される送信ユニットと、
を含み、
ここで、前記ダウンリンクデータが、前記ネットワークデバイスが少なくとも一つの時間ドメインリソース集合を使用して送信されたものであり、前記少なくとも一つの時間ドメインリソース集合内のそれぞれの時間ドメインリソース集合が、一つ又は複数の連続した時間ドメインリソースユニットを含み、前記第１ダウンリンクデータが、前記少なくとも一つの時間ドメインリソース集合内の前記第１時間ドメインリソース集合内の前記第１時間ドメインリソースユニットにおいて伝送される、
ことを特徴とするフィードバック情報の伝送装置。
【請求項９】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記確定ユニットは、具体的に、前記第１時間ドメインリソースユニットが、前記第１時間ドメインリソース集合内の時間ドメインにおける前のＱ−Ｔ個の時間ドメインリソースユニットに属する場合、前記第２時間ドメインリソースユニットが、前記第１時間ドメインリソース集合の後ろに位置し、しかも前記第２時間ドメインリソースユニットの開始位置と、前記第１時間ドメインリソース集合内の最後の一つの時間ドメインリソースユニットの末尾位置との間の間隔がＫミリ秒であることを確定するように構成され、ここで、Ｋが予め設定された値であり、Ｋ≧０であり、
前記確定ユニットは、具体的に、第１時間ドメインリソースユニットが前記第１時間ドメインリソース集合内の時間ドメインにおける後ろのＴ個の時間ドメインリソースユニットに属する場合、前記第２時間ドメインリソースユニットが第２時間ドメインリソース集合の後ろに位置し、しかも前記第２時間ドメインリソースユニットの開始位置と、前記第２時間ドメインリソース集合内の最後の一つの時間ドメインリソースユニットの末尾位置との間の間隔がＫミリ秒であることを確定するように構成され、ここで、Ｋが予め設定された値であり、Ｋ≧０であり、前記第２時間ドメインリソース集合が、時間ドメインにおいて前記第１時間ドメインリソース集合の後ろに位置する１個目の時間ドメインリソース集合である、
ことを特徴とする請求項８に記載のフィードバック情報の伝送装置。
【請求項１０】
前記第１時間ドメインリソース集合は、Ｑ個の時間ドメインリソースユニットを含み、ここで、Ｑ≧Ｔであり、ここでＴが正の整数であり、Ｔの値がシステム処理遅延によって確定され、また、
前記送信ユニットは、具体的に、前記第２時間ドメインリソースユニットにおいて、前記ネットワークデバイスにＣ×Ｌビットのフィードバック情報を送信するように構成され、ここで、Ｃが、一つの時間ドメインリソースユニットで伝送されるダウンリンクデータに対応する最大のフィードバック情報の数であり、Ｌが正の整数であり、しかもＬ≧Ｑである、
ことを特徴とする請求項８又は９に記載のフィードバック情報の伝送装置。
【国際調査報告】
2019517162.tif 000018
2019517162.tif 000019
2019517162.tif 000020
2019517162.tif 000021